(57)【要約】【課題】ユーザが選択した領域を適切なサイズで表示する情報処理装置等を提供すること。【解決手段】本発明は、ネットワーク２を介して他の伝送端末と通信可能に接続された伝送端末１０と、通信可能に接続される情報処理装置４０であって、当該情報処理装置と一体の又は当該情報処理装置に接続された表示装置２１６に表示された領域のアスペクト比を、予め定められたアスペクト比に変更するアスペクト比変更手段４５４と、前記アスペクト比変更手段がアスペクト比を変更した領域の表示データを取り込む取り込み手段４５１と、前記取り込み手段が取り込んだ表示データを前記伝送端末に送信するデータ送信手段４１と、を有することを特徴とする。【選択図】図２０
2015084511.tif 000002
【特許請求の範囲】
【請求項１】
ネットワークを介して他の伝送端末と通信可能に接続された伝送端末と、通信可能に接続される情報処理装置であって、
当該情報処理装置と一体の又は当該情報処理装置に接続された表示装置に表示された領域のアスペクト比を、予め定められたアスペクト比に変更するアスペクト比変更手段と、
前記アスペクト比変更手段がアスペクト比を変更した領域の表示データを取り込む取り込み手段と、
前記取り込み手段が取り込んだ表示データを前記伝送端末に送信するデータ送信手段と、
を有することを特徴とする情報処理装置。
【請求項２】
前記アスペクト比変更手段は、領域の横サイズを元の長さに維持したまま縦サイズを変更して、領域のアスペクト比を予め定められたアスペクト比に変更する、
ことを特徴とする請求項１記載の情報処理装置。
【請求項３】
前記アスペクト比変更手段は、領域の縦サイズを元の長さに維持したまま横サイズを変更して、領域のアスペクト比を予め定められたアスペクト比に変更する、
ことを特徴とする請求項１記載の情報処理装置。
【請求項４】
領域の横サイズを元の長さに維持したまま縦サイズを変更して予め定められたアスペクト比に変更した場合に領域の面積が大きくなる場合には、領域の横サイズを元の長さに維持したまま縦サイズを変更して予め定められたアスペクト比に変更し、
領域の縦サイズを元の長さに維持したまま横サイズを変更して予め定められたアスペクト比に変更した場合に領域の面積が大きくなる場合には、領域の縦サイズを元の長さに維持したまま横サイズを変更して予め定められたアスペクト比に変更する、
ことを特徴とする請求項１記載の情報処理装置。
【請求項５】
領域の横サイズを元の長さに維持したまま縦サイズを変更して予め定められたアスペクト比に変更した場合に領域の面積が小さくなる場合には、領域の横サイズを元の長さに維持したまま縦サイズを変更して予め定められたアスペクト比に変更し、
領域の縦サイズを元の長さに維持したまま横サイズを変更して予め定められたアスペクト比に変更した場合に領域の面積が小さくなる場合には、領域の縦サイズを元の長さに維持したまま横サイズを変更して予め定められたアスペクト比に変更する、
ことを特徴とする請求項１記載の情報処理装置。
【請求項６】
前記アスペクト比変更手段は、領域の面積を一定としたまま、領域の横サイズ及び縦サイズを変更して、領域のアスペクト比を予め定められたアスペクト比に変更する、
ことを特徴とする請求項１記載の情報処理装置。
【請求項７】
前記アスペクト比変更手段が領域のアスペクト比を変更することを許可する否かの設定を受け付ける設定受け付け手段、
を有することを特徴とする請求項１〜６いずれか１項記載の情報処理装置。
【請求項８】
前記設定受け付け手段は、
領域の横サイズを元の長さに維持したまま縦サイズを変更する設定、
領域の縦サイズを元の長さに維持したまま横サイズを変更する設定、
領域の横サイズ又は縦サイズのどちらを元の長さに維持したままアスペクト比を変更するかを領域の面積が大きく方に基づき切り替える設定、
領域の横サイズ又は縦サイズのどちらを元の長さに維持したままアスペクト比を変更するかを領域の面積が小さく方に基づき切り替える設定、
又は、
領域の面積を一定としたまま、領域の横サイズ及び縦サイズを変更する設定、
のいずれか１つを受け付ける、ことを特徴とする請求項７記載の情報処理装置。
【請求項９】
前記予め定められたアスペクト比は、前記伝送端末に接続された第２の表示装置のアスペクト比である、ことを特徴とする請求項１〜８いずれか１項記載の情報処理装置。
【請求項１０】
ネットワークを介して他の伝送端末と通信可能に接続された伝送端末と、該伝送端末と通信可能に接続される情報処理装置と有するシステムであって、
情報処理装置と一体の又は情報処理装置に接続された表示装置に表示された領域のアスペクト比を、予め定められたアスペクト比に変更するアスペクト比変更手段と、
前記アスペクト比変更手段がアスペクト比を変更した領域の表示データを取り込む取り込み手段と、
前記取り込み手段が取り込んだ表示データを伝送端末に送信するデータ送信手段と、
を有することを特徴とするシステム。
【請求項１１】
プログラムを実行する情報処理装置に接続された表示装置に表示された領域のアスペクト比を、予め定められたアスペクト比に変更するアスペクト比変更ステップと、
前記アスペクト比変更ステップでアスペクト比が変更された領域の表示データを取り込む取り込みステップと、
前記取り込みステップにより取り込まれた表示データを伝送端末に送信するデータ送信ステップと、を実行させるプログラムと、
前記表示データをネットワークを介して接続された他の伝送端末に送信する伝送端末と、を有するシステム。
【請求項１２】
情報処理装置にインストールされると情報処理装置に、
情報処理装置と一体の又は情報処理装置に接続された表示装置に表示された領域のアスペクト比を、予め定められたアスペクト比に変更するアスペクト比変更ステップと、
前記アスペクト比変更ステップでアスペクト比が変更された領域の表示データを取り込む取り込みステップと、
前記取り込みステップにより取り込まれた表示データを端末に送信するデータ送信ステップと、
を実行させるプログラム。
【発明の詳細な説明】
【技術分野】
【０００１】
本発明は、ネットワークを介して他の伝送端末と通信可能に接続されると共に表示装置と接続された伝送端末と、通信可能に接続されるコンピュータに実行させるプログラム等に関する。
【背景技術】
【０００２】
インターネット等の通信ネットワークを介して遠隔地との間でテレビ会議等を行う伝送システムが普及しつつある。このような伝送システムでは、複数の伝送端末の間で画像データおよび音声データの送受信が行われることにより、テレビ会議を実現することができる。また、近年のブロードバンド環境の充実化により、高画質の画像データや高音質の音声データの送受信が可能となったため、テレビ会議の相手当事者の状況を把握し易くなり、会話による意思疎通の充実度を向上させることができるようになっている。
【０００３】
また、伝送端末を用いてテレビ会議を行う際に、テレビ会議の当事者は、当該伝送端末とは別に各自のＰＣ(Personal Computer)等の外部入力装置を用い、この外部入力装置のディスプレイに会議資料等の画像を表示させて、会議の相手と議論等を行う場合がある。従来の外部入力装置は、この外部入力装置のディスプレイに表示されている会議資料等の表示データを、通信ネットワークを経由してテレビ会議の相手が利用している伝送端末に送信していた。
【０００４】
テレビ会議の当事者は、伝送端末が送受信する音声データおよび画像データだけでなく、外部入力装置のディスプレイに表示されている表示データをテレビ会議の相手と共有できるようになっている。
【０００５】
ところで、外部入力装置によってはマルチタスクが可能なものがあり、ディスプレイに異なるタスクが生成する複数の領域（以下、ウィンドウという）が表示されている場合がある。この場合、ユーザがテレビ会議の相手が利用している伝送端末に送信する表示データを選択可能である方が便利であるため、表示データを選択させるための技術が考えられている（例えば、特許文献１参照。）。
【０００６】
図４５は、特許文献１において外部入力装置に表示される画面の一例を示す図である。特許文献１には、ディスプレイに表示された複数の領域のうちユーザがマウスで選択した領域を相手の伝送端末と共有する遠隔通信端末が開示されている。
【発明の概要】
【発明が解決しようとする課題】
【０００７】
しかしながら、特許文献１では、ユーザがマウスで選択した領域を相手の伝送端末と共有する際に、領域の画像サイズをどのように調整するかについて記載がないという問題がある。ユーザは領域の縦と横の長さを任意に変更可能であるため、ユーザが選択した領域が共有に適したアスペクト比であるとは限らない。共有に適したアスペクト比でない場合、自端末や相手の伝送端末で、共有した画面の画像が最適なサイズで表示されないおそれがある。
【０００８】
本発明は、上記課題に鑑み、ユーザが選択した領域を適切なサイズで表示するプログラム等を提供することを目的とする。
【課題を解決するための手段】
【０００９】
本発明は、ネットワークを介して他の伝送端末と通信可能に接続された伝送端末と、通信可能に接続される情報処理装置であって、当該情報処理装置と一体の又は当該情報処理装置に接続された表示装置に表示された領域のアスペクト比を、予め定められたアスペクト比に変更するアスペクト比変更手段と、前記アスペクト比変更手段がアスペクト比を変更した領域の表示データを取り込む取り込み手段と、前記取り込み手段が取り込んだ表示データを前記伝送端末に送信するデータ送信手段と、を有することを特徴とする。
【発明の効果】
【００１０】
ユーザが選択した領域を適切なサイズで表示する情報処理装置等を提供することができる。
【図面の簡単な説明】
【００１１】
【図１】本発明の一実施形態に係る伝送システム１の全体構成を示す概略図である
【図２】本実施形態に係る伝送システム１を構成する伝送端末１０のハードウェア構成図の一例である。
【図３】本実施形態に係る伝送システム１を構成する伝送管理システム５０のハードウェア構成図の一例である。
【図４】本実施形態の伝送システム１を構成する伝送端末、中継装置および伝送管理システムの機能ブロック図の一例である。
【図５】画像データの画質を説明するための図である。
【図６】変更品質管理テーブルの一例を示す図である。
【図７】中継装置管理テーブルの一例を示す図である。
【図８】端末認証管理テーブルの一例を示す図である。
【図９】端末管理テーブルの一例を示す図である。
【図１０】宛先リスト管理テーブルの一例を示す図である。
【図１１】セッション管理テーブルの一例を示す図である。
【図１２】品質管理テーブルの一例を示す図である。
【図１３】外部入力装置の機能ブロック図の一例である。
【図１４】解像度管理テーブルの一例を示す図である。
【図１５】各中継装置から伝送管理システムに送信された各中継装置の稼働状態を表す状態情報を管理する処理の一例を示すシーケンス図である。
【図１６】各伝送端末間で通信を開始する準備段階の処理の一例を示すシーケンス図である。
【図１７】伝送端末がセッションを確立する処理の一例を示すシーケンス図である。
【図１８】外部入力装置が表示した表示データを会議の相手である伝送端末に表示させる処理の一例を示すシーケンス図である。
【図１９】ディスプレイに表示される表示データの一例を示す図である。
【図２０】伝送システム１の全体構成のうち、外部入力装置４０ａａ、４０ｄｂのディスプレイ２１６ａａ、２１６ｄｂ、ディスプレイ１２０ａａ、１２０ｄｂに表示される画面を説明する図の一例である。
【図２１】外部入力装置用プログラムのユーザインタフェースの一例を示す図である。
【図２２】ユーザインタフェースの別の一例を示す図である。
【図２３】右クリックして表示されるユーザインタフェースの一例を示す図である。
【図２４】伝送端末が行う解像度の変更および外部入力装置が行う解像度の変換に係る処理の一例（非圧縮形式を用いる場合）を示すシーケンス図である。
【図２５】表示データ取得部が全体領域又は領域の表示データを取得する手順を示すフローチャート図の一例である。
【図２６】解像度を変換する処理の一例を示すフローチャートである。
【図２７】伝送端末が行う解像度制御（解像度の変更を含む）の処理の一例を示すフローチャートである。
【図２８】図２７のステップＳ１０２で行う判定処理を補足説明するための、補助情報表示の画面の一例を示す図である。
【図２９】伝送端末が行う解像度の変更および外部入力装置が行う解像度の変換に係る処理の他の例（圧縮形式を用いる場合）を示すシーケンス図である。
【図３０】領域サイズ変更部が横サイズ一定で領域のサイズを変更する手順を示すフローチャート図の一例である。
【図３１】領域サイズ変更部が縦サイズ一定で領域のサイズを変更する手順を示すフローチャート図の一例である。
【図３２】領域サイズ変更部が横サイズか縦サイズか面積が大きくなる方を選択して領域のサイズを変更する手順を示すフローチャート図の一例である。
【図３３】領域サイズ変更部が横サイズか縦サイズか面積が小さくなる方を選択して領域のサイズを変更する手順を示すフローチャート図の一例である。
【図３４】領域サイズ変更部が同じ面積のまま領域のサイズを変更する手順を示すフローチャート図の一例である。
【図３５】横サイズ一定における領域の変更例を模式的に説明する図の一例である。
【図３６】縦サイズ一定における領域の変更例を模式的に説明する図の一例である。
【図３７】横サイズ一定変形か縦サイズ一定変形のうち面積が大きくなる方が選択された場合の領域の変更例を模式的に説明する図の一例である。
【図３８】横サイズ一定変形か縦サイズ一定変形のうち面積が小さくなる方が選択された場合の領域の変更例を模式的に説明する図の一例である。
【図３９】同じ面積のまま領域のサイズが変更された場合の変更例を模式的に説明する図の一例である。
【図４０】伝送端末１０ａａに接続されたディスプレイ１２０に表示される表示データの表示例を示す図である。
【図４１】外部入力装置用プログラムのユーザインタフェースの一例を示す図である。
【図４２】表示データ取得部が表示データを取得する処理の詳細について説明するフローチャート図の一例である（実施例２）。
【図４３】伝送端末をカーナビゲーション装置に適用した場合のシステム構成の一例を示す図である。
【図４４】カーナビゲーション装置の構成の一例を示す図である。
【図４５】特許文献１において外部入力装置に表示される画面の一例を示す図である。
【発明を実施するための形態】
【００１２】
以下、図面を参照して本発明の実施形態について説明する。しかしながら、本発明の技術的範囲が、本実施の形態に限定されるものではない。
【００１３】
図１は、本発明の一実施形態に係る伝送システム１の全体構成を示す概略図である。以下、図１を参照して本実施形態を説明する。
【００１４】
一般に伝送システムには、伝送管理システムを介して一方の伝送端末から他方の伝送端末に一方向でコンテンツデータを通信するデータ提供システムや、伝送管理システムを介して複数の伝送端末間で情報や感情等を相互に伝達するコミュニケーションシステムが含まれる。このコミュニケーションシステムは、コミュニケーション管理システム（「伝送管理システム」に相当）を介して複数のコミュニケーション端末（「伝送端末」に相当）間で情報や感情等を相互に伝達するためのシステムであり、テレビまたはビデオ会議システム、テレビ電話システム、音声会議システム、音声電話システム、ＰＣ画面共有システム等が例として挙げられる。
【００１５】
本実施形態では、コミュニケーションシステムの一例としてのテレビまたはビデオ会議システム、コミュニケーション管理システムの一例としてのテレビまたはビデオ会議管理システム、およびコミュニケーション端末の一例としてのテレビまたはビデオ会議端末を想定した上で、伝送システム、伝送管理システム、および伝送端末について説明する。すなわち、本発明の伝送端末および伝送管理システムは、テレビまたはビデオ会議システムに適用されるだけでなく、コミュニケーションシステム、または伝送システムにも適用される。
【００１６】
本実施形態の伝送システム１（図１参照）は、複数の伝送端末１０ａａ，１０ａｂ，１０ｂａ，１０ｂｂ，１０ｃａ，１０ｃｂ，１０ｄａおよび１０ｄｂと、各伝送端末用の複数のディスプレイ１２０ａａ，１２０ａｂ，１２０ｂａ，１２０ｂｂ，１２０ｃａ，１２０ｃｂ，１２０ｄａおよび１２０ｄｂと、各伝送端末にそれぞれ接続される複数のＰＣ等の外部入力装置４０ａａ，４０ａｂ，４０ｂａ，４０ｂｂ，４０ｃａ，４０ｃｂ，４０ｄａおよび４０ｄｂと、複数の中継装置３０ａ，３０ｂ，３０ｃおよび３０ｄと、伝送管理システム５０と、プログラム提供システム９０と、メンテナンスシステム１００とによって構築されている。
【００１７】
なお、以下の説明において特に明記しない限り、複数の伝送端末１０ａａ，……，１０ｄｂのうち任意の伝送端末を示すときは「伝送端末１０」と表記し、複数のディスプレイ１２０ａａ，……，１２０ｄｂのうち任意のディスプレイを示すときは「ディスプレイ１２０」と表記し、複数の外部入力装置４０ａａ，……，４０ｄｂのうち任意の外部入力装置を示すときは「外部入力装置４０」と表記し、複数の中継装置３０ａ，……，３０ｄのうち任意の中継装置を示すときは「中継装置３０」と表記する。また、ディスプレイ１２０は伝送端末１０の表示装置の一例である。
【００１８】
伝送端末１０は、他の伝送端末１０との間で、画像データ、音声データ等の送受信を行うようになっている。本実施形態では、画像データの画像が動画の場合について説明するが、動画だけでなく静止画であってもよい。また、画像データの画像に動画と静止画の両方が含まれていてもよい。中継装置３０は、各伝送端末１０間で画像データおよび音声データの中継を行うためのものである。伝送管理システム５０は、複数の伝送端末１０および複数の中継装置３０を一元的に管理するためのものである。
【００１９】
外部入力装置４０は、伝送端末１０と接続され、外部入力装置４０の表示装置（後述するディスプレイ２１６）に表示されている画像を表す表示データを伝送端末１０に送信するようになっている。外部入力装置４０は、例えばＰＣであるが、ＰＣの他、スマートフォン、タブレット型端末、携帯電話、電子ホワイトボード、プロジェクター等の投影装置、デジタルサイネージ（電子看板）、又は、ウェアラブルＰＣなどであってもよい。
【００２０】
また、図１に示される複数のルータ７０ａ，７０ｂ，７０ｃ，７０ｄ，７０ｅおよび７０ｆは、画像データおよび音声データが送受信される最適な経路の選択を行うためのものである。以下の説明において特に明記しない限り、複数のルータ７０ａ，……，７０ｆのうち任意のルータを示すときは「ルータ７０」と表記する。また、プログラム提供システム９０は、ＨＤ(Hard Disk)（図示せず）を備えている。このＨＤには、伝送端末１０に各種機能または各種手段を実現させるための伝送端末用プログラム、中継装置３０に各種機能または各種手段を実現させるための中継装置用プログラム、および、伝送管理システム５０に各種機能または各種手段を実現させるための伝送管理用プログラムが格納されている。プログラム提供システム９０は、ＨＤに格納されている伝送端末用プログラム、中継装置用プログラムおよび伝送管理用プログラムを、それぞれ伝送端末１０、中継装置３０および伝送管理システム５０に送信可能に構築されている。
【００２１】
また、伝送端末１０ａａおよび１０ａｂと中継装置３０ａとルータ７０ａとは、ＬＡＮ(Local Area Network)２ａによって通信可能に接続されており、伝送端末１０ｂａおよび伝送端末１０ｂｂと中継装置３０ｂとルータ７０ｂとは、ＬＡＮ２ｂによって通信可能に接続されている。ＬＡＮ２ａおよびＬＡＮ２ｂは、ルータ７０ｃが含まれた専用線２ａｂによって通信可能に接続されており、所定の地域Ａ内で構築されている。例えば、地域Ａは日本であり、ＬＡＮ２ａは東京の事業所内で構築されており、ＬＡＮ２ｂは大阪の事業所内で構築されている。
【００２２】
一方、伝送端末１０ｃａおよび１０ｃｂと中継装置３０ｃとルータ７０ｄとは、ＬＡＮ２ｃによって通信可能に接続されており、伝送端末１０ｄａおよび１０ｄｂと中継装置３０ｄとルータ７０ｅとは、ＬＡＮ２ｄによって通信可能に接続されている。ＬＡＮ２ｃおよびＬＡＮ２ｄは、ルータ７０ｆが含まれた専用線２ｃｄによって通信可能に接続されており、所定の地域Ｂ内で構築されている。例えば、地域Ｂはアメリカであり、ＬＡＮ２ｃはニューヨークの事業所内で構築されており、ＬＡＮ２ｄはワシントンＤ．Ｃ．の事業所内で構築されている。地域Ａと地域Ｂは、それぞれルータ７０ｃ，７０ｆからインターネット２ｉを介して通信可能に接続されている。
【００２３】
また、伝送管理システム５０、プログラム提供システム９０およびメンテナンスシステム１００は、インターネット２ｉを介して伝送端末１０および中継装置３０と通信可能に接続されている。伝送管理システム５０、プログラム提供システム９０およびメンテナンスシステム１００は、地域Ａまたは地域Ｂに設置されていてもよいし、これら以外の地域に設置されていてもよい。
【００２４】
本実施形態では、ＬＡＮ２ａ、ＬＡＮ２ｂ、専用線２ａｂ、インターネット２ｉ、専用線２ｃｄ、ＬＡＮ２ｃおよびＬＡＮ２ｄによって通信ネットワーク２が構築されている。
【００２５】
また、図１において、各伝送端末１０、各中継装置３０、伝送管理システム５０、各ルータ７０、プログラム提供システム９０およびメンテナンスシステム１００の下に表記されている４組の数字（かっこ付き）は、一般的なＩＰｖ４(Internet Protocol version 4)におけるＩＰアドレスを簡易的に示している。例えば、伝送端末１０ａａのＩＰアドレスは「１．２．１．３」である。また、ＩＰｖ４ではなくＩＰｖ６を用いてもよいが、説明を簡略化するため、ＩＰｖ４を用いて説明する。
【００２６】
＜＜実施形態のハードウェア構成＞＞
次に、本実施形態のハードウェア構成を説明する。
【００２７】
図２は、本実施形態に係る伝送システム１を構成する伝送端末１０のハードウェア構成図である。図２に示されるように、伝送端末１０は、伝送端末１０全体の動作を制御するＣＰＵ(Central Processing Unit)１０１と、伝送端末用プログラムを記憶したＲＯＭ(Read Only Memory)１０２と、ＣＰＵ１０１のワークエリアとして使用されるＲＡＭ(Random Access Memory)１０３と、画像データや音声データ等の各種データを記憶するフラッシュメモリ１０４と、ＣＰＵ１０１の制御に従ってフラッシュメモリ１０４に対する各種データの読み出しおよび書き込みを制御するＳＳＤ(Solid State Drive)１０５と、フラッシュメモリ等の記録メディア１０６に対するデータの読み出しまたは書き込み（記憶）を制御するメディアドライブ１０７と、伝送端末１０の宛先を選択する場合などに操作される操作ボタン１０８と、伝送端末１０の電源のＯＮ／ＯＦＦを切り換えるための電源スイッチ１０９と、後述の通信ネットワーク２を利用してデータ伝送をするためのネットワークＩ／Ｆ１１１と、ＣＰＵ１０１の制御に従って被写体を撮像し画像データを得るカメラ１１２と、このカメラ１１２の駆動を制御する撮像素子Ｉ／Ｆ１１３と、音声を入力するマイク１１４と、音声を出力するスピーカ１１５と、ＣＰＵ１０１の制御に従ってマイク１１４およびスピーカ１１５との間で音声信号の入出力を処理する音声入出力Ｉ／Ｆ１１６と、ＣＰＵ１０１の制御に従って外付けのディスプレイ１２０に画像データを伝送するディスプレイＩ／Ｆ１１７と、外部の装置との間で各種データを送受信する外部装置Ｉ／Ｆ１１８と、伝送端末１０の各種機能の異常を知らせるアラームランプ１１９と、上記各構成要素を相互に電気的に接続するためのアドレスバスやデータバス等のバスライン１１０を備えている。
【００２８】
なお、記録メディア１０６は、伝送端末１０に対して着脱自在な構成となっている。また、ＣＰＵ１０１の制御に従ってデータの読み出しまたは書き込みを行う不揮発性メモリであれば、フラッシュメモリ１０４に限らず、ＥＥＰＲＯＭ（Electrically Erasable and Programmable ROM）等を用いてもよい。また、カメラ１１２は、光を電荷に変換して被写体の画像（映像）を電子化する固体撮像素子、例えば、ＣＣＤ(Charge Coupled Device)素子、ＣＭＯＳ（Complementary Metal Oxide Semiconductor）素子等を備えている。また、ＳＳＤ１０５以外にＨＤＤ（Hard Disk Drive)を用いてもよい。
【００２９】
また、ディスプレイ１２０は、被写体の画像や操作用アイコン等を表示する液晶素子や有機ＥＬ素子等を用いて構成されている。
【００３０】
また、上記伝送端末用プログラムは、インストール可能な形式または実行可能な形式のファイルで、上記記録メディア１０６等のコンピュータで読み取り可能な記録媒体に記録して流通させるようにしてもよい。
【００３１】
なお、カメラ１１２、マイク１１４、スピーカ１１５は必ずしも内蔵型の必要はなく、外付けにしてもよい。また、伝送端末１０は、ＰＣ、スマートフォン、タブレット端末、携帯電話などであってもよい。
【００３２】
図３は、本実施形態に係る伝送システム１を構成する伝送管理システム５０のハードウェア構成図である。伝送管理システム５０は、伝送管理システム５０全体の動作を制御するＣＰＵ２０１と、伝送管理用プログラムを記憶したＲＯＭ２０２と、ＣＰＵ２０１のワークエリアとして使用されるＲＡＭ２０３と、各種データを記憶するＨＤ(Hard Disk)２０４と、ＣＰＵ２０１の制御に従ってＨＤ２０４に対する各種データの読み出しおよび書き込みを制御するＨＤＤ２０５と、フラッシュメモリ等の記録メディア２０６に対するデータの読み出しおよび書き込み（記憶）を制御するメディアドライブ２０７と、カーソル、メニュー、ウィンドウ、文字、画像等の各種情報をディスプレイ２１６に表示させるためのディスプレイＩ／Ｆ２０８と、後述の通信ネットワーク２を利用してデータ伝送をするためのネットワークＩ／Ｆ２０９と、文字、数値、各種指示等を入力するための複数のキーを備えたキーボード２１１と、各種指示の選択や実行、処理対象の選択、カーソルの移動等を行うマウス２１２と、着脱可能な記録媒体の一例としてのＣＤ−ＲＯＭ(Compact Disc Read Only Memory)２１３に対するデータの読み出しおよび書き込みを制御するＣＤ−ＲＯＭドライブ２１４と、外部の装置との間で情報を送受信するための外部装置Ｉ／Ｆ２１５と、上記各構成要素間を相互に電気的に接続するためのアドレスバスやデータバス等のバスライン２１０とを備えている。なお、ディスプレイ２１６は、外部入力装置４０の表示装置の一例でもある。
【００３３】
また、上記伝送管理用プログラムは、インストール可能な形式または実行可能な形式のファイルで、上記記録メディア２０６やＣＤ−ＲＯＭ２１３等のコンピュータで読み取り可能な記録媒体に記録して流通させるようにしてもよい。上記伝送管理用プログラムはＨＤ２０４に記憶されていてもよい。
【００３４】
また、外部入力装置４０は、伝送管理システム５０と同様のハードウェア構成を有しているため、その説明を省略する。但し、ＲＯＭ２０２には、外部入力装置４０を制御するための外部入力装置用プログラムが格納されている。この場合も、外部入力装置用プログラムは、インストール可能な形式または実行可能な形式のファイルで、上記記録メディア２０６やＣＤ−ＲＯＭ２１３等のコンピュータで読み取り可能な記録媒体に記録して流通させるようにしてもよい。
【００３５】
また、中継装置３０は、伝送管理システム５０と同様のハードウェア構成を有しているため、その説明を省略する。但し、ＲＯＭ２０２には、中継装置３０を制御するための中継装置用プログラムが格納されている。この場合も、中継装置用プログラムは、インストール可能な形式または実行可能な形式のファイルで、上記記録メディア２０６やＣＤ−ＲＯＭ２１３等のコンピュータで読み取り可能な記録媒体に記録して流通させるようにしてもよい。
【００３６】
また、プログラム提供システム９０は、伝送管理システム５０と同様のハードウェア構成を有しているため、その説明を省略する。但し、ＲＯＭ２０２には、プログラム提供システム９０を制御するためのプログラム提供システム用プログラムが格納されている。この場合も、プログラム提供システム用プログラムは、インストール可能な形式または実行可能な形式のファイルで、上記記録メディア２０６やＣＤ−ＲＯＭ２１３等のコンピュータで読み取り可能な記録媒体に記録して流通させるようにしてもよい。なお、プログラム提供システム用プログラムは、ＲＯＭ２０２ではなくＨＤ２０４に格納されるようにしてもよい。
【００３７】
また、メンテナンスシステム１００は、伝送管理システム５０と同様のハードウェア構成を有しているため、その説明を省略する。このメンテナンスシステム１００は、伝送端末１０、中継装置３０、伝送管理システム５０およびプログラム提供システム９０のうちの少なくとも１つの維持、管理または保守を行うためのコンピュータである。例えば、メンテナンスシステム１００が国内に設置され、伝送端末１０、中継装置３０、伝送管理システム５０またはプログラム提供システム９０が国外に設置されている場合、メンテナンスシステム１００は、通信ネットワーク２を介して遠隔的に、伝送端末１０、中継装置３０、伝送管理システム５０およびプログラム提供システム９０のうちの少なくとも１つの維持、管理、保守等のメンテナンスを行うようになっている。
【００３８】
また、メンテナンスシステム１００は、通信ネットワーク２を介さずに、伝送端末１０、中継装置３０、伝送管理システム５０およびプログラム提供システム９０のうちの少なくとも１つにおける機種番号、製造番号、販売先、保守点検または故障履歴の管理等のメンテナンスを行うようにしてもよい。
【００３９】
なお、上記の着脱可能な記録媒体の他の形態としては、ＣＤ−Ｒ(Compact Disc Recordable)、ＤＶＤ(Digital Versatile Disk)、ブルーレイディスク等のコンピュータで読み取り可能な記録媒体に格納して提供するように構成してもよい。
【００４０】
＜＜実施形態の機能構成＞＞
次に、本実施形態の機能構成について、図４〜図１４を参照しながら説明する。図４は、本実施形態の伝送システム１を構成する伝送端末１０、中継装置３０および伝送管理システム５０の機能ブロック図である。図４に示す例では、伝送端末１０と、中継装置３０と、伝送管理システム５０とが、通信ネットワーク２を介してデータ通信することができるように接続されている。また、外部入力装置４０は、伝送端末１０との間でデータを送受信することができるように接続されている。なお、図１に示されるプログラム提供システム９０およびメンテナンスシステム１００は、テレビ会議の通信と直接関係がないため、図４では図示を省略している。
【００４１】
なお、図５は、画像データの画質を説明するための図である。また、図６は変更品質管理テーブルの一例、図７は中継装置管理テーブルの一例、図８は端末認証管理テーブルの一例、図９は端末管理テーブルの一例、図１０は宛先リスト管理テーブルの一例、図１１はセッション管理テーブルの一例、図１２は品質管理テーブルの一例、をそれぞれ示す図である。また、図１３は外部入力装置４０の機能ブロック図、図１４は解像度管理テーブルの一例を示す図である。
【００４２】
＜伝送端末の機能構成＞
図４に示されるように、伝送端末１０は、送受信部１１と、操作入力受付部１２と、ログイン要求部１３と、撮像部１４ａと、画像表示制御部１４ｂと、表示画像取得部１４ｃと、音声入力部１５ａと、音声出力部１５ｂと、遅延検出部１７と、外部情報送受信部１８と、記憶・読出処理部１９と、解像度取得部２１ａと、解像度判定部２１ｂと、解像度選択部２１ｃと、解像度変更部２１ｄとを有している。これら各機能部は、図２に示される各構成要素のいずれかが、ＲＯＭ１０２に格納されているプログラムに従ったＣＰＵ１０１からの命令により動作することで実現される機能または手段である。また、伝送端末１０は、図２に示されるＳＳＤ１０５によって構築される記憶部１０００を有している。
【００４３】
＜伝送端末の各機能部＞
次に、伝送端末１０の各機能部について詳細に説明する。伝送端末１０の送受信部１１は、図２に示されるネットワークＩ／Ｆ１１１によって実現され、通信ネットワーク２を介して他の伝送端末１０、中継装置３０および伝送管理システム５０と各種データの送受信を行う。操作入力受付部１２は、図２に示される操作ボタン１０８および電源スイッチ１０９によって実現され、ユーザによる各種入力を受け付ける。例えば、ユーザが、伝送端末１０の本体の電源スイッチをＯＮにすると、操作入力受付部１２（図４）が電源ＯＮを受け付けて、電源をＯＮにする。また、操作入力受付部１２は、ユーザによって操作入力された解像度を表す解像度情報を受け付ける。
【００４４】
ログイン要求部１３は、図２に示されるＣＰＵ１０１からの命令によって実現され、上記電源ＯＮの受け付けを契機として、送受信部１１から通信ネットワーク２を介して伝送管理システム５０に、ログインを要求する旨を示すログイン要求情報、および伝送端末１０の現時点のＩＰアドレスを自動的に送信する。
【００４５】
撮像部１４ａは、図２に示されるカメラ１１２および撮像素子Ｉ／Ｆ１１３によって実現され、被写体を撮像した画像を表す画像データを生成する。画像表示制御部１４ｂは、図２に示されるディスプレイＩ／Ｆ１１７によって実現され、画像データをレンダリングし、画像データが表す画像をディスプレイ１２０に表示させるための制御を行う。表示画像取得部１４ｃは、ディスプレイ１２０に表示されている画像を表す画像データを取得する。本実施形態ではカメラ１１２で撮像した画像を表すデータを「画像データ」という。また、後で詳細に説明する外部入力装置４０のディスプレイ２１６に表示されている画像を表すデータを「表示データ」という。なお、画像データおよび表示データは、例えばＪＰＥＧ(Joint Photographic Experts Group)、Ｂｉｔｍａｐ、ＧＤＩ(Graphics Device Interface)等の形式のデータである。
【００４６】
音声入力部１５ａは、図２に示されるマイク１１４および音声入出力Ｉ／Ｆ１１６によって実現され、ユーザの音声を入力し、この音声を音声信号に変換することで、音声信号に係る音声データを出力する。音声出力部１５ｂは、図２に示されるスピーカ１１５および音声入出力Ｉ／Ｆ１１６によって実現され、音声データに係る音声信号を音声に変換して出力する。
【００４７】
遅延検出部１７は、図２に示されるＣＰＵ１０１からの命令に従って実現され、他の伝送端末１０から中継装置３０を介して送られてくる画像データまたは音声データの遅延時間（ｍｓ）を検出する。また、外部情報送受信部１８は、図２に示される外部装置Ｉ／Ｆ１１８を介して外部入力装置４０との間でデータを送受信する。また、記憶・読出処理部１９は、図２に示されるＳＳＤ１０５によって実行され、記憶部１０００に各種データを記憶したり、記憶部１０００に記憶された各種データを読み出したりする処理を行う。
【００４８】
解像度取得部２１ａは、伝送端末１０に接続されているディスプレイ１２０の表示可能な解像度を取得する。解像度判定部２１ｂは、解像度取得部２１ａによって取得された表示可能な解像度に、画像データの伝送に用いる基準アスペクト比以外の解像度を含んでいるか否かを判定する。解像度選択部２１ｃは、解像度判定部２１ｂが行う判定の結果に基づいて上記表示可能な解像度の中から基準アスペクト比以外の解像度または基準アスペクト比の解像度を選択する。解像度変更部２１ｄは、ディスプレイ１２０の解像度を、操作入力受付部１２によって受け付けられた解像度情報が表す解像度に変更する。ここで、解像度とは、表示画面上の長さ当たりに存在する画素数を表し、縦方向の解像度および横方向の解像度が含まれる。
【００４９】
記憶部１０００には、伝送端末１０を識別するための端末ＩＤ(Identification)およびパスワード、画像データおよび音声データ、各種データを送信する中継装置３０を識別する中継装置ＩＤ、宛先端末のＩＰアドレス等が記憶される。また、記憶部１０００には、外部入力装置用プログラム１４５１が記憶され、伝送端末１０が出力する表示データの解像度を表す解像度情報を記憶する解像度記憶部１００５を有している。外部入力装置用プログラム１４５１が外部入力装置４０に送信され、外部入力装置４０にインストールされることによって、外部入力装置４０は、後述する表示データ取得部４５１、表示データ送信部４５２および解像度変換部４５３、領域サイズ変更部４５４を備えることになる。外部入力装置用プログラム１４５１と、外部入力装置４０が備える機能の関係は一例であり、外部入力装置用プログラム１４５１を外部入力装置４０にインストールするための最低限の機能以外は、外部入力装置用プログラム１４５１のインストールにより与えられてもよい。なお、外部入力装置４０の詳細については、＜外部入力装置の各機能部＞にて説明する。
【００５０】
また、本実施形態における端末ＩＤおよび後述の中継装置ＩＤは、それぞれ伝送端末１０および中継装置３０を一意に識別するために使われる言語、文字、記号または各種のしるし等の識別情報を示す。また、端末ＩＤおよび中継装置ＩＤは、上記言語、文字、記号および各種のしるしのうち少なくとも２つが組み合わされた識別情報であってもよい。また、以下の記載では、テレビ会議の開始を要求する要求元としての伝送端末１０を「要求元端末」とし、要求先である宛先としての伝送端末１０を「宛先端末」として説明する。
【００５１】
＜中継装置の機能構成＞
次に、中継装置３０の機能（または手段）について説明する。中継装置３０は、図４に示されるように送受信部３１と、状態検知部３２と、データ品質確認部３３と、変更品質管理部３４と、データ品質変更部３５と、記憶・読出処理部３９とを有している。これら各機能部は、図４に示される各構成要素のいずれかが、ＲＯＭ２０２に記憶されているプログラムに従ったＣＰＵ２０１からの命令によって動作することで実現される機能または手段である。また、中継装置３０は、図３に示されるＲＯＭ２０２、ＲＡＭ２０３またはＨＤＤ２０５のいずれかにより構築される記憶部３０００を有している。
【００５２】
《変更品質管理テーブル》
記憶部３０００には、図６に示されるような変更品質管理テーブルによって構成される変更品質管理ＤＢ３００１が構築されている。変更品質管理テーブルでは、画像データの中継先としての伝送端末１０のＩＰアドレス、およびこの中継先に中継装置３０が中継する画像データの画質が関連付けられて管理される。
【００５３】
ここで、本実施形態の伝送システム１で扱われる画像データの画像の解像度について説明する。図５を参照すると、（ａ）に示されるように横方向が１６０画素、縦方向が１２０画素からなり、ベース画像となる低解像度の画像と、（ｂ）に示されるように横方向が３２０画素、縦方向が２４０画素からなる中解像度の画像と、（ｃ）に示されるように横方向が６４０画素、縦方向が４８０画素からなる高解像度の画像とがある。このうち、狭帯域経路を経由する場合には、ベース画像となる低解像度の画像データのみからなる低画質の画像データが中継される。帯域が比較的広い場合には、ベース画像となる低解像度の画像データと中解像度の画像データとからなる中画質の画像データが中継される。また、帯域が非常に広い場合には、ベース画像となる低解像度の画像データと中解像度の画像データと高解像度の画像データとからなる高画質の画像データが中継される。図６に示される変更品質管理テーブルにおいて、例えば、中継装置３０がＩＰアドレス「１．３．２．４」の宛先端末１０ｄｂ（図１参照）に対して画像データを中継する場合には、この中継される画像データの画質（画像の品質）は「高品質」である。
【００５４】
＜中継装置の各機能部＞
次に、中継装置３０の各機能部について詳細に説明する。なお、以下の記載では、中継装置３０の各機能部を説明するにあたって、図３に示される各構成要素のうち中継装置３０の各機能部を実現させるための主な構成要素との関係についても説明する。
【００５５】
中継装置３０の送受信部３１（図４参照）は、図３に示されるネットワークＩ／Ｆ２０９によって実現され、通信ネットワーク２を介して他の伝送端末１０、中継装置３０および伝送管理システム５０との間で各種データの送受信を行う。状態検知部３２は、図３に示されるＣＰＵ２０１からの命令によって実現され、この状態検知部３２を有する中継装置３０の稼働状態を検知する。稼働状態としては、「ＯＮライン」、「ＯＦＦライン」「通話中」または「故障中」の状態がある。
【００５６】
データ品質確認部３３は、図３に示されるＣＰＵ２０１からの命令によって実現され、宛先端末１０のＩＰアドレスを検索キーとして、変更品質管理テーブル（図６参照）を検索し、当該ＩＰアドレスに対応した中継される画像データの画質を抽出することで、中継される画像データの画質を確認する。変更品質管理部３４は、図３に示されるＣＰＵ２０１からの命令によって実現され、伝送管理システム５０から送信される、後述の品質情報に基づいて、変更品質管理ＤＢ３００１の内容を変更する。例えば、端末ＩＤが「０１ａａ」である要求元端末１０ａａと、端末ＩＤが「０１ｄｂ」である宛先端末１０ｄｂとの間で高画質の画像データを送受信することによってテレビ会議を行っている最中に、他のテレビ会議を行う要求元端末ｂｂと宛先端末ｃａが通信ネットワーク２を介してテレビ会議を開始することによって、宛先端末１０ｄｂで画像データの受信の遅延が生じた場合には、中継装置３０は今まで中継していた画像データの画質を、高画質から中画質に下げる必要がある。このような場合に、中画質を示す品質情報に基づいて、中継装置３０が中継する画像データの画質を高画質から中画質に下げるように、変更品質管理ＤＢ３００１の内容が変更される。
【００５７】
データ品質変更部３５は、図３に示されるＣＰＵ２０１からの命令によって実現され、要求元端末１０から送られてきた画像データの画質を、上記変更された変更品質管理ＤＢ３００１の内容に基づいて変更する。記憶・読出処理部３９は、図３に示されるＨＤＤ２０５によって実現され、記憶部３０００に各種データを記憶したり、記憶部３０００に記憶された各種データを読み出したりする処理を行う。
【００５８】
＜伝送管理システムの機能構成＞
次に、伝送管理システム５０の機能（または手段）について説明する。伝送管理システム５０は、図４に示されるように送受信部５１と、端末認証部５２と、状態管理部５３と、端末抽出部５４と、端末状態取得部５５と、セッション管理部５７と、品質決定部５８と、記憶・読出処理部５９と、遅延時間管理部６０とを有している。これら各機能部は、図３に示される各構成要素のいずれかが、ＲＯＭ２０２に記憶されているプログラムに従ったＣＰＵ２０１からの命令によって動作することで実現される機能または手段である。また、伝送管理システム５０は、図３に示されるＲＯＭ２０２、ＲＡＭ２０３またはＨＤＤ２０５によって構築される記憶部５０００を有している。
【００５９】
《中継装置管理テーブル》
記憶部５０００には、図７に示されるような中継装置管理テーブルによって構成される中継装置管理ＤＢ５００１が構築されている。この中継装置管理テーブルでは、各中継装置３０の中継装置ＩＤ毎に、各中継装置３０の稼働状態、稼働状態が示される状態情報が伝送管理システム５０で受信された受信日時、中継装置３０のＩＰアドレスおよび中継装置３０における最大データ伝送速度（Ｍｂｐｓ）が関連付けられて管理される。例えば、図７に示される中継装置管理テーブルにおいて、中継装置ＩＤが「１１１ａ」の中継装置３０ａ（図１参照）は、稼働状態が「ＯＮライン」であり、伝送管理システム５０で状態情報が受信された日時が「２００９年１１月１０日の１３時００分」であり、この中継装置３０ａのＩＰアドレスが「１．２．１．２」であり、この中継装置３０ａにおける最大データ伝送速度が１００Ｍｂｐｓであることが示されている。
【００６０】
《端末認証管理テーブル》
また、記憶部５０００には、図８に示されるような端末認証管理テーブルによって構成される端末認証管理ＤＢ５００２が構築されている。この端末認証管理テーブルでは、伝送管理システム５０によって管理される全ての伝送端末１０の各端末ＩＤに対して、各パスワードが関連付けられて管理される。例えば、図８に示される端末認証管理テーブルにおいて、伝送端末１０ａａ（図１参照）の端末ＩＤは「０１ａａ」で、パスワードは「ａａａａ」であることが示されている。
【００６１】
《端末管理テーブル》
また、記憶部５０００には、図９に示されるような端末管理テーブルによって構成される端末管理ＤＢ５００３が構築されている。この端末管理テーブルでは、各伝送端末１０の端末ＩＤ毎に、各伝送端末１０の稼働状態、後述のログイン要求情報が伝送管理システム５０で受信された受信日時および伝送端末１０のＩＰアドレスが関連付けられて管理される。例えば、図９に示される端末管理テーブルにおいて、端末ＩＤが「０１ａａ」の伝送端末１０ａａ（図１参照）は、稼働状態が「ＯＮライン」であり、伝送管理システム５０でログイン要求情報が受信された日時が「２００９年１１月１０日の１３時４０分」であり、この伝送端末１０ａａのＩＰアドレスが「１．２．１．３」であることが示されている。
【００６２】
《宛先リスト管理テーブル》
また、記憶部５０００には、図１０に示されるような宛先リスト管理テーブルによって構成される宛先リスト管理ＤＢ５００４が構築されている。この宛先リスト管理テーブルでは、テレビ会議の開始を要求する要求元端末１０の端末ＩＤに対して、宛先端末１０の候補として登録されている宛先端末１０の端末ＩＤが全て関連付けられて管理される。例えば、図１０に示される宛先リスト管理テーブルにおいて、端末ＩＤが「０１ａａ」である要求元端末１０ａａ（図１参照）からテレビ会議の開始を要求することができる宛先端末１０の候補は、端末ＩＤが「０１ａｂ」の伝送端末１０ａｂ、端末ＩＤが「０１ｂａ」の伝送端末１０ｂａ、および端末ＩＤが「０１ｄｂ」の伝送端末１０ｄｂの３つであることが示されている。この宛先端末１０の候補は、要求元端末１０から伝送管理システム５０に対する追加または削除の要請により、追加または削除されることで更新される。
【００６３】
《セッション管理テーブル》
また、記憶部５０００には、図１１に示されるようなセッション管理テーブルによって構成されるセッション管理ＤＢ５００５が構築されている。このセッション管理テーブルでは、中継装置３０を選択するためのセッションの実行に用いられる選択用セッションＩＤ毎に、中継装置３０の中継装置ＩＤ、要求元端末１０の端末ＩＤ、宛先端末１０の端末ＩＤ、遅延時間（ｍｓ）、および受信日時が関連付けられて管理される。ここで、遅延時間（ｍｓ）とは、宛先端末１０において画像データが受信される際の受信の遅延時間であり、受信日時とは、この遅延時間が示される遅延情報を宛先端末１０から送信されて伝送管理システム５０で受信された日時である。
【００６４】
例えば、図１１に示されるセッション管理テーブルにおいて、選択用セッションＩＤ「ｓｅ１」を用いて実行されたセッションで選択された中継装置３０ａ（中継装置ＩＤ「１１１ａ」）は、端末ＩＤが「０１ａａ」の要求元端末１０ａａ（図１参照）と、端末ＩＤが「０１ｄｂ」の宛先端末１０ｄｂとの間で、画像データおよび音声データを中継していることが示されている。また、宛先端末１０ｄｂにおいて「２００９年１１月１０日の１４時００分」時点における画像データの遅延時間が２００（ｍｓ）であることが示されている。
【００６５】
なお、２つの伝送端末１０の間でテレビ会議を行う場合には、上記宛先端末１０ではなく要求元端末１０から送信されてきた遅延情報に基づいて、遅延情報の受信日時を管理してもよい。但し、３つ以上の伝送端末１０の間でテレビ会議を行う場合には、画像データおよび音声データの受信側の伝送端末１０から送信されてきた遅延情報に基づいて、遅延情報の受信日時を管理する。
【００６６】
《品質管理テーブル》
また、記憶部５０００には、図１２に示されるような品質管理テーブルによって構成される品質管理ＤＢ５００７が構築されている。この品質管理テーブルでは、要求元端末１０または宛先端末１０における画像データの遅延時間（ｍｓ）に応じて、中継装置３０で中継させる画像データの画質（画像の品質）が関連付けられて管理される。
【００６７】
＜伝送管理システムの各機能部＞
次に、伝送管理システム５０の各機能部について詳細に説明する。なお、以下の記載では、伝送管理システム５０の各機能部を説明するにあたって、図３に示される各構成要素のうち、伝送管理システム５０の各機能部を実現させるための主な構成要素との関係についても説明する。
【００６８】
まず、送受信部５１（図４参照）は、図３に示されるネットワークＩ／Ｆ２０９によって実行され、通信ネットワーク２を介して伝送端末１０、中継装置３０または他のシステム（プログラム提供システム９０と、メンテナンスシステム１００）との間で各種データの送受信を行う。端末認証部５２は、送受信部５１を介して受信されたログイン要求情報に含まれている端末ＩＤおよびパスワードを検索キーとし、記憶部５０００の端末認証管理ＤＢ５００２を検索し、端末認証管理ＤＢ５００２に同一の端末ＩＤおよびパスワードが管理されているかを判断することによって端末認証を行う。状態管理部５３は、ログイン要求してきた要求元端末１０の稼働状態を管理すべく、端末管理テーブル（図９）に、この要求元端末１０の端末ＩＤ、要求元端末１０の稼働状態、伝送管理システム５０でログイン要求情報が受信された受信日時、および要求元端末１０のＩＰアドレスを関連付けて記憶して管理する。
【００６９】
端末抽出部５４は、ログイン要求した要求元端末１０の端末ＩＤをキーとして、宛先リスト管理テーブル（図１０）を検索し、要求元端末１０と通信することができる宛先端末１０の候補の端末ＩＤを読み出すことで、端末ＩＤを抽出する。また、端末抽出部５４は、ログイン要求してきた要求元端末１０の端末ＩＤをキーとして、宛先リスト管理テーブル（図１０）を検索し、上記要求元端末１０の端末ＩＤを宛先端末１０の候補として登録している他の要求元端末１０の端末ＩＤも抽出する。
【００７０】
端末状態取得部５５は、端末抽出部５４によって抽出された宛先端末１０の候補の端末ＩＤを検索キーとして、端末管理テーブル（図９）を検索し、端末抽出部５４によって抽出された端末ＩＤ毎に稼働状態を読み出す。これにより、端末状態取得部５５は、ログイン要求してきた要求元端末１０と通信することができる宛先端末１０の候補の稼働状態を取得することができる。また、端末状態取得部５５は、端末抽出部５４によって抽出された端末ＩＤを検索キーとして、端末管理テーブル（図９）を検索し、ログイン要求してきた要求元端末１０の稼働状態も取得する。
【００７１】
セッション管理部５７は、記憶部５０００のセッション管理ＤＢ５００５（図１１のセッション管理テーブル）に、生成された選択用セッションＩＤ、要求元端末の端末ＩＤおよび宛先端末の端末ＩＤを関連付けて記憶して管理する。また、セッション管理部５７は、セッション管理テーブル（図１１）に中継装置３０の中継装置ＩＤを記憶して管理する。
【００７２】
品質決定部５８は、上記遅延時間を検索キーとして、品質管理テーブル（図１２）を検索し、対応する画像データの画質を抽出することで、中継装置３０に中継させる画像データの画質を決定する。記憶・読出処理部５９は、図３に示されるＨＤＤ２０５によって実行され、記憶部５０００に各種データを記憶したり、記憶部５０００に記憶された各種データを読み出したりする処理を行う。遅延時間管理部６０は、上記宛先端末１０のＩＰアドレスを検索キーとして、端末管理テーブル（図９）を検索することで、対応する端末ＩＤを抽出し、さらにセッション管理テーブル（図１１）において、上記抽出した端末ＩＤが含まれるレコードにおける遅延時間のフィールド部分に、上記遅延情報で示される遅延時間を記憶して管理する。
【００７３】
＜外部入力装置の機能構成＞
外部入力装置４０は、図１３に示されるように送受信部４１と、接続検出部４２と、インストール判定部４３ａと、プログラム取得部４３ｂと、解像度取得部４４と、表示データ取得部４５１と、表示データ送信部４５２と、解像度変換部４５３と、領域サイズ変更部４５４と、操作入力受付部４６と、表示制御部４７と、マウント部４８と、記憶・読出処理部４９と、を有している。これら各機能部は、図３に示される各構成要素のいずれかが、ＲＯＭ２０２に記憶されているプログラムに従ったＣＰＵ２０１からの命令によって動作することで実現される機能または手段である。また、表示データ取得部４５１、表示データ送信部４５２、解像度変換部４５３及び領域サイズ変更部４５４は、伝送端末１０の記憶部１０００（図４参照）に記憶されている外部入力装置用プログラム１４５１をプログラム取得部４３ｂがダウンロードして、インストールすることによって実現される。この他の機能が外部入力装置用プログラム１４５１に含まれていてもよい。
【００７４】
さらに、外部入力装置４０は、図３に示されるＲＯＭ２０２、ＲＡＭ２０３またはＨＤＤ２０５によって構築される記憶部４０００を有している。また、特に図示はしていないが、外部入力装置４０は、Ｗｉｎｄｏｗｓ（登録商標）や"Mac（登録商標）OS"、"Mac（登録商標）OS X Lion"、"Mac（登録商標）OS X""OS  X"等のＯＳ(Operating System)を搭載し、これにより、他の装置と接続したときにはプログラムを実行する機能を備えている。
【００７５】
＜外部入力装置の各機能部＞
次に、外部入力装置４０の各機能部について詳細に説明する。まず、送受信部４１（図１３参照）は、図３に示されるネットワークＩ／Ｆ２０９によって実現され、伝送端末１０との間で各種データ（情報）の送受信を行う。送受信部４１は、本実施形態に関連する情報として、伝送端末１０側で表示解像度が変更されたときにその変更後の解像度を表す解像度情報（第１の解像度情報）を受信する。接続検出部４２は、図３に示される外部装置Ｉ／Ｆ２１５により伝送端末１０との間で各種データの送受信が可能となったことを検出する。
【００７６】
インストール判定部４３ａは、接続検出部４２によって外部入力装置４０が伝送端末１０と送受信可能になったことが検出されると、外部入力装置用プログラム１４５１が外部入力装置４０にインストールされているか否かを判定する。プログラム取得部４３ｂは、インストール判定部４３ａによって外部入力装置用プログラム１４５１が外部入力装置４０にインストールされていないと判定されると、伝送端末１０の記憶部１０００（図４参照）から外部入力装置用プログラム１４５１を取得する。なお、インストールされているか否かを判定することなく、外部入力装置用プログラム１４５１をインストールしてもよい。
【００７７】
解像度取得部４４は、外部入力装置４０のディスプレイ２１６の解像度を表す解像度情報（第２の解像度情報）を取得する。操作入力受付部４６は、ユーザの操作によって入力された情報を受け付ける。表示制御部４７は、後述する記憶・読出処理部４９が読み出した画像をディスプレイ２１６に表示させる。マウント部４８は、伝送端末１０の記憶部１０００をマウントする。これにより、外部入力装置４０は、外部入力装置用プログラム１４５１をインストールできるようになる。
【００７８】
表示データ取得部４５１は、外部入力装置４０のディスプレイ２１６に表示されている画像を表す表示データを取得する。表示データ送信部４５２は、表示データ取得部４５１が取得した表示データを伝送端末１０に送信する。解像度変換部４５３は、外部入力装置４０のディスプレイ２１６の解像度（第２の解像度情報）と、伝送端末１０から送信されて外部入力装置４０の記憶部４０００に記憶されている伝送端末１０のディスプレイ１２０の解像度（第１の解像度状態）とに基づいて、外部入力装置４０が伝送端末１０に送信する表示データの解像度を変換する。
【００７９】
領域サイズ変更部４５４は、ユーザにより選択された領域のアスペクト比を１６：９に変更する。アスペクト比＝１６：９とは、伝送端末１０のディスプレイ１２０のアスペクト比であり、表示データが表示される領域のアスペクト比でもある。本実施形態ではアスペクト比は予め定められているものとして説明するが、領域サイズ変更部４５４は領域のアスペクト比を任意に変更できる。領域サイズ変更部４５４が変更すべき領域のアスペクト比は、外部入力装置４０が伝送端末１０に問い合わせてもよい。
【００８０】
記憶・読出処理部４９は、図３に示されるＨＤＤ２０５によって実行され、記憶部４０００に各種データを記憶したり、記憶部４０００に記憶された各種データを読み出したりする処理を行う。
【００８１】
《解像度管理テーブル》
記憶部４０００には解像度管理ＤＢ４００１が構築され、この解像度管理ＤＢ４００１には、図１４に一例として示されるような解像度管理テーブルが格納されている。この解像度管理テーブルでは、送受信部４１が受信した伝送端末１０のディスプレイ１２０の縦方向（高さ方向）の解像度と横方向（幅方向）の解像度を表す情報が関連付けられて記憶されている。例えば、図１４に示される解像度管理テーブルにおいて、伝送端末１０のディスプレイ１２０の解像度（幅）は１０２４であり、解像度（高さ）は７６８である。
【００８２】
＜＜実施形態の処理・動作＞＞
次に、本実施形態の伝送システム１において行われる各種処理および動作について、図１５〜図２０を参照しながら説明する。なお、図１５は、各中継装置３０から伝送管理システム５０に送信された各中継装置３０の稼働状態を表す状態情報を管理する処理の一例を示すシーケンス図である。図１６は、各伝送端末１０間で通信を開始する準備段階の処理の一例を示すシーケンス図である。図１７は、伝送端末がセッションを確立する処理の一例を示すシーケンス図である。図１８は、外部入力装置４０が表示した表示データを会議の相手である伝送端末１０に表示させる処理の一例を示すシーケンス図である。図１９はディスプレイ１２０に表示される表示データの一例を示す図である。図２０は伝送システム１の全体構成のうち、外部入力装置４０ａａ、４０ｄｂのディスプレイ２１６ａａ、２１６ｄｂ、ディスプレイ１２０ａａ、１２０ｄｂに表示される画面を説明する図の一例である。
【００８３】
まず、図１５を参照して、各中継装置３０から伝送管理システム５０に送信された各中継装置３０の稼動状態を表す状態情報を管理する処理について説明する。まず、各中継装置３０（３０ａ〜３０ｄ）では、状態検知部３２（図４）が、自装置である中継装置３０の稼働状態を定期的に検知している（Ｓ１−１〜Ｓ１−４）。そして、伝送管理システム５０側で各中継装置３０の稼働状態をリアルタイムで管理させるべく、各中継装置３０の送受信部３１は、定期的に通信ネットワーク２を介して伝送管理システム５０へ各状態情報を送信する（ステップＳ２−１〜Ｓ２−４）。これら各状態情報には、各中継装置３０毎の中継装置ＩＤと、これら各中継装置ＩＤに係る中継装置３０の状態検知部３２で検知された稼働状態とが含まれている。なお、本実施形態では、中継装置３０ａ、３０ｂおよび３０ｄは、正常に稼働して「ＯＮライン」となっている一方で、中継装置３０ｃは、稼働中ではあるが、中継装置３０ｃの中継動作を実行するためのプログラムに何らかの不具合が生じて「ＯＦＦライン」となっている場合が示されている。
【００８４】
次に、伝送管理システム５０では、各中継装置３０ａ〜３０ｄから送られてきた各状態情報を送受信部５１が受信し、記憶・読出処理部５９を介して記憶部５０００の中継装置管理ＤＢ５００１（図７の中継装置管理テーブル）に、中継装置ＩＤ毎に状態情報を記憶して管理する（ステップＳ３−１〜Ｓ３−４）。これにより、中継装置管理テーブル（図７）に対して、中継装置ＩＤ毎に「ＯＮライン」、「ＯＦＦライン」または「故障中」のいずれかの稼働状態が記憶されて管理される。その際、中継装置ＩＤ毎に、伝送管理システム５０で状態情報が受信された受信日時も記憶されて管理される。なお、中継装置３０から状態情報が送られてこない場合には、中継装置管理テーブル（図７）の各レコードにおける稼働状態のフィールド部分および受信日時のフィールド部分が空白になるか、または、前回の受信時の稼働状態および受信日時が維持されて管理される。
【００８５】
次に、図１６を用いて、伝送端末１０ａａと伝送端末１０ｄｂとの間で、通信を開始する前の準備段階の処理について説明する。まず、ユーザが、電源スイッチ１０９（図２）をＯＮにすると、操作入力受付部１２（図４）が電源ＯＮを受け付けて、電源をＯＮにする（ステップＳ２１）。次に、ログイン要求部１３は、上記電源ＯＮの受信を契機とし、送受信部１１から通信ネットワーク２を介して伝送管理システム５０に、ログイン要求を示すログイン要求情報を自動的に送信する（ステップＳ２２）。このログイン要求情報には、要求元としての自装置である伝送端末１０ａａを識別するための端末ＩＤおよびパスワードが含まれている。これら端末ＩＤおよびパスワードは、記憶・読出処理部１９を介して記憶部１０００から読み出されて、送受信部１１に送られたデータである。なお、伝送端末１０ａａから伝送管理システム５０へログイン要求情報が送信される際、受信側である伝送管理システム５０は、送信側である伝送端末１０ａａのＩＰアドレスを把握することができる。
【００８６】
次に、伝送管理システム５０の端末認証部５２（図４）は、送受信部５１を介して受信したログイン要求情報に含まれている端末ＩＤおよびパスワードを検索キーとして、記憶部５０００の端末認証管理ＤＢ５００２（図８の端末認証管理テーブル）を検索し、端末認証管理ＤＢ５００２に同一の端末ＩＤおよびパスワードが管理されているかを判断することにより、端末認証を行う（ステップＳ２３）。この端末認証部５２によって、同一の端末ＩＤおよびパスワードが管理されているため正当な利用権限を有する伝送端末１０からのログイン要求であると判断された場合には、状態管理部５３は、端末管理ＤＢ５００３（図９の端末管理テーブル）に、伝送端末１０ａａの端末ＩＤ、稼働状態、上記ログイン要求情報が受信された受信日時、および伝送端末１０ａａのＩＰアドレスを関連付けて記憶する（ステップＳ２４）。これにより、端末管理テーブル（図９）には、伝送端末ＩＤ「０１ａａ」に、稼働状態「ＯＮライン」、受信日時「２００９．１１．１０．１３：４０」および端末ＩＰアドレス「１．２．１．３」が関連付けて管理されることになる。
【００８７】
次に、伝送管理システム５０の送受信部５１は、端末認証部５２によって得られた認証結果が示された認証結果情報を、通信ネットワーク２を介して、上記ログイン要求してきた要求元端末１０ａａに送信する（ステップＳ２５）。本実施形態では、端末認証部５２によって正当な利用権限を有する端末であると判断された場合について、以下続けて説明する。
【００８８】
伝送管理システム５０の端末抽出部５４は、ログイン要求した要求元端末１０ａａの端末ＩＤ「０１ａａ」を検索キーとして、宛先リスト管理テーブル（図１０）を検索し、要求元端末１０ａａと通信することができる宛先端末１０の候補の端末ＩＤを読み出すことによって抽出する（ステップＳ２６）。ここでは、要求元端末１０ａａの端末ＩＤ「０１ａａ」に対応する宛先端末１０ａｂ、１０ｂａおよび１０ｄｂのそれぞれの端末ＩＤ「０１ａｂ」、「０１ｂａ」および「０１ｄｂ」が抽出されることになる。
【００８９】
次に、端末状態取得部５５は、端末抽出部５４によって抽出された宛先端末１０の候補の端末ＩＤ（「０１ａｂ」、「０１ｂａ」、「０１ｄｂ」）を検索キーとして、端末管理テーブル（図９）を検索し、端末抽出部５４によって抽出された端末ＩＤ毎に稼働状態（「ＯＦＦライン」、「ＯＮライン」、「ＯＮライン」）を読み出すことにより、伝送端末（１０ａｂ、１０ｂａ、１０ｄｂ）の各稼働状態を取得する（ステップＳ２７）。
【００９０】
次に、送受信部５１は、ステップＳ２７で使用された検索キーとしての端末ＩＤ（「０１ａｂ」、「０１ｂａ」、「０１ｄｂ」）と、対応する宛先端末（１０ａｂ、１０ｂａ、１０ｄｂ）の稼働状態（「ＯＦＦライン」、「ＯＮライン」、「ＯＮライン」）とが含まれた宛先状態情報を、通信ネットワーク２を介して要求元端末１０ａａに送信する（ステップＳ２８）。これにより、要求元端末１０ａａは、この要求元端末１０ａａと通信することができる宛先端末１０の候補である伝送端末（１０ａｂ、１０ｂａ、１０ｄｂ）の現時点のそれぞれの稼働状態（「ＯＦＦライン」、「ＯＮライン」、「ＯＮライン」）を把握することができる。
【００９１】
さらに、伝送管理システム５０の端末抽出部５４は、ログイン要求してきた要求元端末１０ａａの端末ＩＤ「０１ａａ」を検索キーとして、宛先リスト管理テーブル（図１０）を検索し、要求元端末１０ａａの端末ＩＤ「０１ａａ」を宛先端末１０の候補として登録している他の要求元端末１０の端末ＩＤを抽出する（ステップＳ２９）。図１０に示される宛先リスト管理テーブルでは、抽出される他の要求元端末１０の端末ＩＤは、「０１ａｂ」、「０１ｂａ」および「０１ｄｂ」である。
【００９２】
次に、伝送管理システム５０の端末状態取得部５５は、ログイン要求してきた要求元端末１０ａａの端末ＩＤ「０１ａａ」を検索キーとして、端末管理テーブル（図９）を検索し、その要求元端末１０ａａの稼働状態を取得する（ステップＳ３０）。
【００９３】
次に、送受信部５１は、ステップＳ２９で抽出された端末ＩＤ（「０１ａｂ」、「０１ｂａ」および「０１ｄｂ」）の伝送端末（１０ａｂ，１０ｂａ，１０ｄｂ）のうち、端末管理テーブル（図９）で稼働状態が「ＯＮライン」となっている伝送端末（１０ｂａ、１０ｄｂ）に、ステップＳ３０で取得された要求元端末１０ａａの端末ＩＤ「０１ａａ」と稼働状態「ＯＮライン」が含まれる宛先状態情報を送信する（ステップＳ３１−１，Ｓ３１−２）。なお、送受信部５１が伝送端末（１０ｂａ、１０ｄｂ）に宛先状態情報を送信する際に、各端末ＩＤ（「０１ｂａ」、「０１ｄｂ」）に基づいて、端末管理テーブル（図９）で管理されている端末のＩＰアドレスを参照する。これにより、ログイン要求した要求元端末１０ａａを宛先として通信することができる他の宛先端末（１０ｄｂ、１０ｂａ）の各々に、ログイン要求した要求元端末１０ａａの端末ＩＤ「０１ａａ」および稼働状態「ＯＮライン」を伝えることができる。
【００９４】
一方、他の伝送端末１０においても、ユーザが電源スイッチ１０９（図２）をＯＮにすると（上記ステップＳ２１）、操作入力受付部１２（図４）が電源ＯＮを受け付け、上記ステップＳ２２〜Ｓ３１−１、３１−２の処理と同様の処理を行うため、その説明を省略する。
【００９５】
次に、図１７を参照して、伝送端末がセッションを確立する処理について説明する。本実施形態では、要求元端末１０ａａは、宛先の候補としての伝送端末１０のうち、上記ステップＳ２８において受信した宛先状態情報により、稼働状態が「ＯＮライン」である伝送端末１０ｂａおよび１０ｄｂのうち少なくとも一方と通信を行うことができる。そこで、以下の記載では、要求元端末１０ａａのユーザが宛先端末１０ｄｂと通信を開始することを選択した場合について説明する。
【００９６】
まず、ユーザが操作ボタン１０８（図２）を押下して伝送端末１０ｄｂを選択すると、伝送端末１０ａａの操作入力受付部１２（図４）は、宛先を伝送端末１０ｄｂとする選択を受け付ける（ステップＳ４１）。次に、伝送端末１０ａａの送受信部１１は、要求元端末１０ａａの端末ＩＤ「０１ａａ」および宛先端末１０ｄｂの端末ＩＤ「０１ｄｂ」が含まれ、通信を開始したい旨を示す開始要求情報を、伝送管理システム５０へ送信する（ステップＳ４２）。これにより、伝送管理システム５０の送受信部５１は、その開始要求情報を受信するとともに、送信元である要求元端末１０ａａのＩＰアドレス「１．２．１．３」を把握することになる。そして、状態管理部５３は、開始要求情報に含まれる要求元端末１０ａａの端末ＩＤ「０１ａａ」および宛先端末１０ｄｂの端末ＩＤ「０１ｄｂ」に基づいて、端末管理ＤＢ５００３の端末管理テーブル（図９）上で、上記端末ＩＤ「０１ａａ」および端末ＩＤ「０１ｄｂ」がそれぞれ含まれるレコードの稼働状態のフィールド部分を、それぞれ「通話中」に変更する（ステップＳ４３）。この状態では、要求元端末１０ａａと宛先端末１０ｄｂは、通信（通話）を開始していないが通話中状態となり、他の伝送端末１０が要求元端末１０ａａまたは宛先端末１０ｄｂと通信しようとすると、いわゆる通話中状態を示す旨の音声または表示が出力される。
【００９７】
伝送管理システム５０は、中継装置３０を選択するためのセッションの実行に用いられる選択用セッションＩＤを生成する（ステップＳ４４）。そして、セッション管理部５７は、記憶部５０００のセッション管理テーブル（図１１）に、ステップＳ４４で生成された選択用セッションＩＤ「ｓｅ１」、要求元端末１０ａａの端末ＩＤ「０１ａａ」、および宛先端末１０ｄｂの端末ＩＤ「０１ｄｂ」を関連付けて記憶して管理する（ステップＳ４５）。
【００９８】
この後、伝送管理システム５０は、中継装置管理ＤＢ５００１及び端末管理ＤＢ５００３に基づいて、要求元端末１０ａａと宛先端末１０ｄｂとの通信を中継するための中継装置３０の絞り込みを行うが詳細は省略した。
【００９９】
次に、伝送管理システム５０のセッション管理部５７は、セッション管理ＤＢ５００５のセッション管理テーブル（図１１）において、選択用セッションＩＤ「ｓｅ１」が含まれるレコードの中継装置ＩＤのフィールド部分に、上記の最終的に１つに選択された中継装置３０ａの中継装置ＩＤ「１１１ａ」を記憶して管理し（ステップＳ６７−１）、送受信部５１は中継装置ＩＤ「１１１ａ」、宛先端末１０ｄｂのＩＰアドレス「１．３．２．４」を要求元端末１０ａａに送信する（ステップＳ６７−２１）。なお、伝送管理システム５０の送受信部５１は、通信ネットワーク２を介して中継装置３０ａへ、中継を開始する旨の要求が示された中継開始要求情報を送信する（不図示）。この中継開始要求情報には、中継される要求元端末１０ａａおよび宛先端末１０ｄｂの各ＩＰアドレス（「１．２．１．３」、「１．３．２．４」）が含まれている。これにより、中継装置３０ａは、伝送端末１０ａａと伝送端末１０ｄｂとの間で、低解像度、中解像度および高解像度の３つの画像データと音声データを通信するためのセッションを確立する（ステップＳ６９）。これにより、各伝送端末（１０ａａ、１０ｄｂ）は、テレビ会議を開始することができる。なお、通信する３つの画像データはあくまで一例であり、３つより多くても少なくてもよい。
【０１００】
なお、各伝送端末１０は、H.264（H.264/AVC、MPEG-4 part10、MPEG4 AVC）、その拡張規格であるH.264/SVC、又は、Mpeg2などの映像符号化標準規格を利用して、画像データの送受信を行う。
【０１０１】
次に、中継装置３０が決定された後に、外部入力装置４０のディスプレイ２１６に表示される画像を表す表示データを他の伝送端末１０に送信してディスプレイ１２０に表示させる処理について、図１８を参照しながら説明する。ここでは、伝送端末１０ａａに接続されている外部入力装置４０ａａが表示している情報を、宛先端末である伝送端末１０ｄｂに表示させる場合を例にとって説明する。
【０１０２】
上記のように中継装置３０が決定されると、ステップＳ６７−２１において伝送管理システム５０が送信した中継装置ＩＤ「１１１ａ」および宛先端末１０ｄｂのＩＰアドレス「１．３．２．４」を、伝送端末１０ａａの送受信部１１が受信する。そして、その受信された中継装置ＩＤ「１１１ａ」およびＩＰアドレス「１．３．２．４」を、記憶・読出処理部１９が記憶部１０００に記憶させる（ステップＳ６７−２２）。
【０１０３】
また、外部入力装置４０ａａが伝送端末１０ａａに接続されると、外部入力装置４０ａａの接続検出部４２（図１３）が、その接続を検知（検出）する（ステップＳ７０）。なお、外部入力装置４０ａａが起動すると、表示制御部４７が少なくとも全体領域を含む画面を表示している。接続検出部４２が、外部入力装置４０ａａと伝送端末１０ａａの接続を検出すると、インストール判定部４３ａは、外部入力装置４０ａａが表示データ取得部４５１、表示データ送信部４５２、解像度変換部４５３及び領域サイズ変更部４５４を備えているかを判定する（ステップＳ７１）。具体的には、インストール判定部４３ａは、外部入力装置４０ａａに外部入力装置用プログラム１４５１がインストールされているか否かを判定する。各プログラムがインストールされている場合には、それぞれに対応する機能部を外部入力装置４０ａａが備えていると判定される。
【０１０４】
一方、インストール判定部４３ａによって、外部入力装置４０ａａが表示データ取得部４５１、表示データ送信部４５２、解像度変換部４５３及び領域サイズ変更部４５４のいずれかを備えていないと判定された場合には、マウント部４８が、伝送端末１０ａａの記憶部１０００をマウントする（ステップＳ７２）。次いで、プログラム取得部４３ｂが、伝送端末１０の記憶部１０００に記憶されている外部入力装置用プログラム１４５１を取得し、インストールする（ステップＳ７３）。これによって、外部入力装置４０ａａは、表示データ取得部４５１、表示データ送信部４５２、解像度変換部４５３及び領域サイズ変更部４５４を備えることになる。なお、外部入力装置用プログラム１４５１を、外部入力装置４０ａａが予め有していてもよい。
【０１０５】
ステップＳ７３の処理が終了すると、送受信部４１は、外部入力装置用プログラム１４５１を実行する許可、すなわち、表示データ取得部４５１、表示データ送信部４５２、解像度変換部４５３及び領域サイズ変更部４５４を動作させる許可を要求するための情報を伝送端末１０ａａに送信する（ステップＳ７４）。そして、伝送端末１０ａａから要求に対する許可を表す情報を送受信部４１が受信すると、表示データ取得部４５１は、ディスプレイ２１６に表示されている画像を表す表示データを取得する（ステップＳ７５）。次いで、解像度変換部４５３が、表示データ取得部４５１によって取得された表示データの解像度を変換し、さらに、表示データ送信部４５２が、伝送端末１０ａａの外部情報送受信部１８に対して、解像度が変換された表示データを送信する（ステップＳ７６）。解像度変換部４５３が表示データの解像度を変換する処理の詳細については、後で説明する。なお、ここで解像度変換部４５３が解像度を変換する処理は、上記の中継装置３０の稼働状況、伝送端末１０と中継装置３０の間の通信速度に基づいてなされる処理とは異なるものであり、中継装置３０の稼働状況、伝送端末１０と中継装置３０の間の通信速度により解像度が変換されるものではない。
【０１０６】
送信元の伝送端末１０ａａの外部情報送受信部１８が外部入力装置４０ａａから表示データを受信すると、記憶・読出処理部１９が、記憶部１０００に記憶されている中継装置ＩＤ「１１１ａ」と、宛先となる伝送端末１０ｄｂのＩＰアドレス「１．３．２．４」を読み出す（ステップＳ７７）。そして、ステップＳ７４で読み出された中継装置ＩＤ「１１１ａ」で示される中継装置３０に対して、送受信部１１が、解像度が変換された表示データと、宛先となる伝送端末１０ｄｂのＩＰアドレス「１．３．２．４」を送信する（ステップＳ７８）。中継装置３０が、ステップＳ７８で伝送端末１０ａａから送信された表示データを受信すると、宛先の伝送端末１０ｄｂのＩＰアドレス「１．３．２．４」に基づいて、表示データの画質を変更し（ステップＳ７９）、伝送端末１０ｄｂに表示データを送信する（ステップＳ８０）。中継装置３０から送信された表示データを伝送端末１０ｄｂの送受信部１１が受信すると、画像表示制御部１４ｂが、その受信した表示データによって表される画像をディスプレイ１２０に表示させる（ステップＳ８１）。例えば、図１９に示される画面表示の例では、画面左部には、外部入力装置４０ａａで表示された表示データが表示され、画面右上部には、伝送端末１０ａａの撮像部１４ａによって撮像され、送受信部１１によって送信された画像データが表示される。また、画面右下部には、伝送端末１０ｄｂの撮像部１４ａによって撮像された画像データが表示される。
【０１０７】
図２０は、伝送システム１の全体構成のうち、外部入力装置４０ａａ、４０ｄｂのディスプレイ２１６ａａ、２１６ｄｂ、ディスプレイ１２０ａａ、１２０ｄｂに表示される画面を説明する図の一例である。外部入力装置４０ａａにはユーザが、伝送端末１０ｄｂと共有したい画面が表示される。外部入力装置４０ａａ、４０ｄｂに表示される画面をデスクトップ画面という。デスクトップ画面には全体を１つの領域（以下、区別するため全体領域という）として、全体領域の中に複数の領域が表示されうる（領域が１つも表示されないことがある。）。図２０では一例として全体領域、領域Ａ及び領域Ｂが表示されている。
【０１０８】
図１８の処理により、ディスプレイ１２０ａａには伝送端末１０ａａが画像データおよび表示データを表示させ、ディスプレイ１２０ｄｂには伝送端末１０ｄｂが画像データおよび表示データを表示させる。以下、この画面を伝送端末画面という。図２０の上段の伝送端末画面では、表示データとして全体領域が、画像データとして伝送端末１０ａａのユーザａａと伝送端末１０ｄｂのユーザｄｂが表示されている。下段の伝送端末画面では、表示データとして領域Ａが、画像データとして伝送端末１０ａａのユーザａａと伝送端末１０ｄｂのユーザｄｂが表示されている。
【０１０９】
なお、外部入力装置４０ｄｂのディスプレイ２１６ｄｂには、ユーザｄｂが表示させる全体領域と領域が表示されたままであり、ユーザａａの操作により影響されない。
【０１１０】
本実施形態では、伝送端末画面において、ユーザが全体領域又は任意の領域Ａ，Ｂを選択して表示することができる。
【実施例１】
【０１１１】
本実施例では、ユーザが外部入力装置４０のポインティングデバイス（例えばマウス２１２）を操作するだけで、伝送端末画面において、全体領域又は任意の領域を選択して表示することが可能な伝送システム１について説明する。なお、ポインティングデバイスとは、主にマウス２１２をいうが、ディスプレイ２１６がタッチパネルを実装している場合は、ユーザの指先の位置を検出する機能がポインティングデバイスである。
【０１１２】
図２１は、外部入力装置用プログラム１４５１のユーザインタフェースの一例を示す図である。外部入力装置４０ａａには外部入力装置用プログラム１４５１がインストールされており、ユーザが所定の操作を行うことでディスプレイ２１６にユーザインタフェースを表示する。所定の操作は、例えば外部入力装置用プログラム１４５１のアイコンをクリック又はダブルクリックすることなどである。また、ユーザが伝送端末１０に外部入力装置４０を接続することで表示されてもよい。
【０１１３】
図２１（ａ）では、領域のタイトルが「ＰＣ画面共有アプリケーション」になっている。これは表示用の名称で外部入力装置用プログラム１４５１のことを意味している。
【０１１４】
「画面を共有していません」というメッセージは、伝送端末１０ａａと１０ｄｂが外部入力装置４０ａａ（又は４０ｄｂ）のディスプレイ２１６に表示された画面を共有していないことを意味する。
【０１１５】
チェックボックス３０８は「アクティブな領域のサイズを自動で調整する」か否かを、ユーザが選択するためのものである。チェックボックス３０８がチェックされた場合、操作入力受付部４６はこの設定を受け付け、「自動サイズ調整」の設定がＯＮであると記憶する。チェックボックス３０８がチェックされない場合、操作入力受付部４６は「自動サイズ調整」の設定がＯＦＦであると記憶する。
【０１１６】
ユーザがマウスなどで共有設定受付ボタン３０１をクリックすると、外部入力装置４０ａａのディスプレイ２１６ａａに表示されている表示データの共有が開始される。
【０１１７】
共有の開始に伴い、図２１（ａ）のユーザインタフェースは、図２１（ｂ）のように変更される。図２１（ｂ）では  「画面を共有していません」というメッセージと、「共有の停止」という文字が表示された共有設定受付ボタン３０１が表示されている。すなわち、すでに共有が開始されているので、共有設定受付ボタン３０１の機能が切り替わる。
【０１１８】
図２１（ｂ）でユーザがマウスなどで「共有の停止」という文字が表示された共有設定受付ボタン３０１をクリックすると、外部入力装置４０ａａのディスプレイ２１６ａａに表示されている表示データの共有が停止される（表示データが伝送端末１０ａａに送信されなくなる。）。
【０１１９】
図１３に示した操作入力受付部４６は、共有設定受付ボタン３０１に対するユーザの操作を受け付ける。表示データ取得部４５１はユーザが「共有の開始」が表示された共有設定受付ボタン３０１をクリックした場合、ユーザが選択する領域を表示データとして取得する。
【０１２０】
なお、本実施形態の伝送システム１では、最後に「共有の開始」という共有設定受付ボタン３０１をクリックした外部入力装置４０の全体領域又は領域の表示データが共有されるようになっている。したがって、ユーザｄｂが図２１（ａ）の「共有の開始」が表示された共有設定受付ボタン３０１をクリックした場合、ユーザａａが図２１（ｂ）の「共有の停止」の共有設定受付ボタン３０１をクリックしなくても、外部入力装置４０ａａのディスプレイ２１６に表示されている表示データの共有が自動的に停止する。
【０１２１】
図２２は、ユーザインタフェースの別の一例を示す図である。図２１（ａ）と比較すると、オプション設定欄３０９が表示されている。オプション設定欄３０９では、「縦基準  横基準  大きく  小さく  面積等しく」のそれぞれにラジオボタンが付与されている。よって、ユーザは５つの項目から１つを選択できるようになっている。これらは、領域サイズ変更部４５４が領域のアスペクト比を変更する際のオプション設定となる。詳しくは後述するが、それぞれ以下のように領域が変更される。
縦基準…縦サイズを基準に１６：９となるように横サイズを変更する
横基準…横サイズを基準に１６：９となるように縦サイズを変更する
大きく…縦サイズ又は横サイズのうち１６：９に変更した時に面積が大きくなる方を基準とする
小さく…縦サイズ又は横サイズのうち１６：９に変更した時に面積が小さくなる方を基準とする
面積等しく…同じ面積のままアスペクト比を１６：９に変更する
また、図２１、２２のようにユーザインタフェースを単独で表示するのでなく、アクティブな領域を操作して表示されるメニューを利用してユーザインタフェースを表示してもよい。
【０１２２】
図２３は右クリックして表示されるユーザインタフェースの一例を示す。ユーザがアクティブな領域のタイトルを右クリックすることで、メニュー３０７が表示される。このようなメニュー３０７はＷｉｎｄｏｗｓ（登録商標）ではコンテキストメニューを呼ばれる。図ではコンテキストメニューに「アクティブな領域のサイズを自動で調整する」という項目が表示されている。
【０１２３】
図２３のように表示することで、ユーザはアスペクト比を自動調整する領域を選択して、「自動サイズ調整」の設定をＯＮすることができる。コンテキストメニューの設定は、領域毎に設定可能なので、ユーザは任意の領域に対してのみアスペクト比を自動調整することを設定できる。
【０１２４】
〔動作手順〕
図２４は、伝送端末１０が行う解像度の変更および外部入力装置４０が行う解像度の変換に係る処理の一例（非圧縮形式を用いる場合）を示すシーケンス図である。図２５は、表示データ取得部４５１が全体領域又は領域の表示データを取得する手順を示すフローチャート図の一例である。図２６は、解像度を変換する処理の一例を示すフローチャートである。図２７は、伝送端末１０が行う解像度制御（解像度の変更を含む）の処理の一例を示すフローチャートである。図２８は、図２５のステップＳ１０２で行う判定処理を補足説明するための、補助情報表示の画面の一例を示す図である。図２９は、伝送端末１０が行う解像度の変更および外部入力装置４０が行う解像度の変換に係る処理の他の例（圧縮形式を用いる場合）を示すシーケンス図である。
【０１２５】
伝送端末１０のディスプレイ１２０の解像度と外部入力装置４０のディスプレイ２１６の解像度に基づいて外部入力装置４０が伝送端末１０に送信する表示データの解像度を変換する処理について、図２４に示されるシーケンス図を参照しながら説明する。図２４の例では、表示データを非圧縮形式で伝送する場合を示している。
【０１２６】
図２４を参照すると、まず、外部入力装置４０の送受信部４１が伝送端末１０のディスプレイ１２０の解像度情報の要求を送信する（ステップＳ９０１）と、伝送端末１０の解像度取得部２１ａは、解像度記憶部１００５に記憶されている伝送端末１０のディスプレイ１２０の解像度を表す解像度情報を取得する（ステップＳ９０２）。ステップＳ９０２で解像度取得部２１ａが解像度情報を取得すると、外部情報送受信部１８が、その取得された解像度情報を外部入力装置４０に送信する（ステップＳ９０３）。外部入力装置４０では、送受信部４１が、伝送端末１０のディスプレイ１２０の解像度情報を受信すると、記憶・読出処理部４９が、その受信された解像度情報を解像度管理ＤＢ４００１の解像度管理テーブルに記憶する（ステップＳ９０４）。
【０１２７】
なお、ステップＳ９０２では伝送端末１０のディスプレイ１２０の解像度情報を取得しているが、ユーザが指定するモードに応じた解像度を優先してディスプレイ１２０の解像度情報とすることが好ましい。モードには例えば、現行モード、ＨＩＧＨモード（６４０×３６０）、ＭＩＤモード（３２０×１８０）、及び、ＬＯＷモード（１９２×１０８）がある。ユーザは、表示データの転送が滞っていることを把握した場合、適宜、モードを変換することで表示データの転送を促進させることができる。すなわち、帯域が狭いような場合に、ディスプレイ１２０の解像度でなくより低解像度の表示データを送信することで表示データの転送が滞ることを抑制できる。
【０１２８】
「自動サイズ調整」の設定がＯＮの場合、ユーザが外部入力装置のディスプレイ２１６で領域をアクティブにした場合、領域サイズ変更部４５４はアクティブな領域のアスペクト比を１６：９に変更する（Ｓ９０４−Ａ）。領域のアスペクト比の変更方法は５つあるので図３０〜３４、３５〜３９を用いて順に説明する。図３０〜３４は、領域サイズ変更部４５４が領域のアスペクト比を変更する手順を示すフローチャート図の一例である。図３５〜３９は、領域の変更を模式的に説明する図の一例である。なお、図３５〜３９の縦横の比は正確なのものではない。
【０１２９】
Ｉ．横の長さを基準に１６：９に変更する（図３０、３５）
まず、ユーザが任意の領域をマウスなどでクリックすると操作入力受付部がクリックを受け付け、領域をアクティブにする（Ｓ９０４１ａ）。なお、マウスでの選択を契機とするのでなく、表示データの共有の開始（例えば、共有設定受付ボタン３０１の押下）を契機に領域のサイズを変更してもよい。
【０１３０】
操作入力受付部は領域サイズ変更部４５４にアクティブになった領域を通知するので、領域サイズ変更部４５４は「自動サイズ調整」の設定がＯＮかＯＦＦかを判定する（Ｓ９０４２ａ）。
【０１３１】
「自動サイズ調整」の設定がＯＦＦの場合（Ｓ９０４２ａのＹｅｓ）、領域のアスペクト比を調整しないので図３０の処理は終了する。
【０１３２】
「自動サイズ調整」の設定がＯＦＦでない場合（Ｓ９０４２ａのＮｏ）、領域サイズ変更部４５４は領域の現在のアスペクト比（ｘ、ｙ）を取得する（Ｓ９０４３ａ）。領域のアスペクト比は領域を指定してＯＳなどに問い合わせることで取得できる。
【０１３３】
領域サイズ変更部４５４は、ｘ＝横サイズ、ｙ＝縦サイズとして「ｘ：ｙ＝１６：９」か否かを判定する（Ｓ９０４４ａ）。
【０１３４】
「ｘ：ｙ＝１６：９」の場合（Ｓ９０４４ａのＹｅｓ）、領域のアスペクト比を変更する必要がないので処理を終了する。
【０１３５】
「ｘ：ｙ＝１６：９」でない場合（Ｓ９０４４ａのＮｏ）、領域サイズ変更部４５４は領域の縦サイズをｙ´に変更する（Ｓ９０４５）。
【０１３６】
ｙ´＝ｘ×９／１６
すなわち、横サイズを基準に領域のアスペクト比が１６：９になるように縦サイズを変更する。
【０１３７】
図３５（ａ）〜（ｃ）に示すように、横サイズは一定のまま領域のアスペクト比が１６：９に変更される。図３５（ａ）では面積が小さくなり、図３５（ｂ）では面積が大きくなり、図３５（ｃ）では面積が小さくなっている。
【０１３８】
横の長さを基準に領域のアスペクト比を変更する利点としては、ユーザは各領域をディスプレイ２１６の横幅に合わせて配置していることが多いため、横サイズを変えずにアスペクト比を調整することで、表示データが見やすい状態のまま領域のアスペクト比を１６：９に変更できる。
【０１３９】
II．縦の長さを基準に１６：９に変更する（図３１、３６）
図３１の処理はステップＳ９０４５ｂが図３０と異なっている。すなわち、領域のアスペクト比が「ｘ：ｙ＝１６：９」でない場合（Ｓ９０４４ｂのＮｏ）、領域サイズ変更部４５４は領域の横サイズをｘ´に変更する（Ｓ９０４５ｂ）。
【０１４０】
ｘ´＝ｙ×１６／９
すなわち、縦サイズを基準に領域のアスペクト比が１６：９になるように横サイズを変更する。
【０１４１】
図３６（ａ）〜（ｃ）に示すように、縦サイズは一定のまま領域のアスペクト比が１６：９に変更される。図３６（ａ）では面積が大きくなり、図３６（ｂ）では面積が小さくなり、図３６（ｃ）では面積が大きくなっている。
【０１４２】
縦の長さを基準に領域のアスペクト比を変更する利点としては、ユーザは各領域をディスプレイ２１６の縦幅に合わせて配置していることが多いため、縦サイズを変えずにアスペクト比を調整することで、表示データが見やすい状態のまま領域のアスペクト比を１６：９に変更できる。
【０１４３】
III．縦と横で面積が大きくなる方を基準に１６：９に変更する（図３２、３７）
図３２の処理はステップＳ９０４５ｃ以降が図３０と異なっている。すなわち、領域のアスペクト比が「ｘ：ｙ＝１６：９」でない場合（Ｓ９０４４ｃのＮｏ）、領域サイズ変更部４５４は「ｙ＜ｘ×９／１６」か否かを判定する（Ｓ９０４５ｃ）。この判定は、横サイズを基準に１６：９に変更した場合の縦サイズが、現在の縦サイズｙよりも大きいか否かを判定している。
【０１４４】
「ｙ＜ｘ×９／１６」の場合（Ｓ９０４５ｃのＹｅｓ）、横サイズを基準にした方が面積が大きくなるので、領域サイズ変更部４５４は領域の縦サイズをｙ´に変更する（Ｓ９０４６ｃ）。
【０１４５】
ｙ´＝ｘ×９／１６
「ｙ＜ｘ×９／１６」でない場合（Ｓ９０４５ｃのＮｏ）、縦サイズを基準にした方が面積が大きくなるので、領域サイズ変更部４５４は領域の横サイズをｘ´に変更する（Ｓ９０４７ｃ）。
【０１４６】
ｘ´＝ｙ×１６／９
図３７（ａ）〜（ｃ）に示すように、図３２の処理では必ず面積を大きくすることができる。図３７（ａ）では縦サイズが一定のまま面積が大きくなり、図３７（ｂ）では横サイズが一定のまま面積が大きくなり、図３７（ｃ）では縦サイズが一定のまま面積が大きくなっている。
【０１４７】
縦基準／横基準では元の領域のアスペクト比によってはサイズ変更により面積が小さくなり、自分が会議相手に見せたい部分が見えなくなってしまう可能性がある。アスペクト比を調整する際には必ず面積が大きくなるように変形することで、見せたい部分を確実に会議相手に見せることができる。
【０１４８】
IV．縦と横で面積が小さくなる方を基準に１６：９に変更する（図３３、３８）
図３３の処理はステップＳ９０４５ｄ以降が図３０と異なっている。すなわち、領域のアスペクト比が「ｘ：ｙ＝１６：９」でない場合（Ｓ９０４４ｄのＮｏ）、領域サイズ変更部４５４は「ｙ＞ｘ×９／１６」か否かを判定する（Ｓ９０４５ｄ）。この判定は、横サイズを基準に１６：９に変更した場合の縦サイズが、現在の縦サイズｙよりも小さいか否かを判定している。
【０１４９】
「ｙ＞ｘ×９／１６」の場合（Ｓ９０４５ｄのＹｅｓ）、横サイズを基準にした方が面積が小さくなるので、領域サイズ変更部４５４は領域の縦サイズをｙ´に変更する（Ｓ９０４６ｄ）。
【０１５０】
ｙ´＝ｘ×９／１６
「ｙ＞ｘ×９／１６」でない場合（Ｓ９０４５ｄのＮｏ）、縦サイズを基準にした方が面積が小さくなるので、領域サイズ変更部４５４は領域の横サイズをｘ´に変更する（Ｓ９０４７ｄ）。
【０１５１】
ｘ´＝ｙ×１６／９
図３８（ａ）〜（ｃ）に示すように、図３３の処理では必ず面積を小さくすることができる。図３８（ａ）では横サイズが一定のまま面積が小さくなり、図３８（ｂ）では縦サイズが一定のまま面積が小さくなり、図３８（ｃ）では横サイズが一定のまま面積が小さくなっている。
【０１５２】
領域の面積を小さくしても会議相手には拡大して表示されるため、小さな文字や細かい図の場合にはアスペクト比を調整しつつ領域の面積を小さくすることで最大限会議相手に見やすく表示させることができる。また、調整の結果、領域がディスプレイサイズを超えてしまうことを防ぐことができる。
【０１５３】
V．同じ面積で１６：９に変更する（図３４、３９）
図３４の処理はステップＳ９０４５ｅが図３０と異なっている。すなわち、領域のアスペクト比が「ｘ：ｙ＝１６：９」でない場合（Ｓ９０４４ｅのＮｏ）、領域サイズ変更部４５４は領域の横サイズ、縦サイズをｘ´、ｙ´に変更する（Ｓ９０４５ｅ）。
【０１５４】
ｘ´＝（４／３）√ｘｙ
ｙ´＝（３／４）√ｘｙ
これにより、同じ面積のまま、アスペクト比を１６：９に変更できる。
【０１５５】
図３９（ａ）〜（ｃ）に示すように、面積一定のまま縦サイズと横サイズが変更されている。図３９（ａ）（ｂ）では横長なまま、図３９（ｃ）では縦長から横長に変形されている。
【０１５６】
Ｉ〜IVの方法では、領域のアスペクト比の変更により領域がとても大きくなったり小さくなったりすることがあり、ユーザを混乱させてしまう可能性がある。これに対し面積を保ったままアスペクト比を調整することで、見た目の印象をあまり変えることなく調整でき、ユーザも変化を把握しやすい。
【０１５７】
次いで、図２４に戻り、外部入力装置４０の表示データ取得部４５１は、表示制御部４７がディスプレイ２１６に表示させている画像を表す表示データを取得する（ステップＳ９０５）。
【０１５８】
ここで、表示データ取得部４５１が表示データを取得する処理の詳細について図２５を参照しながら説明する。ユーザａａは、すでに図２１〜２３の共有設定受付ボタン３０１をクリックしたものとする。
【０１５９】
操作入力受付部４６は、全体領域の選択を受け付けたか否かを判定する（Ｓ９０５１）。全体領域を選択するには、ユーザａａがポインティングデバイスでデスクトップ画面の領域以外の部分をクリックする。ＯＳはクリックされた位置を検出する。本実施例では、外部入力装置４０で動作しているＯＳが領域だけでなく全体領域を１つの領域として扱い、領域外のクリックが全体領域の選択操作となっている。つまり、デスクトップ画面の全体が１つの領域として扱われる（全体領域と領域が別々に扱われる）。ＯＳには、画面全体(デスクトップ画面)を表す全体領域の指定を可能とするＡＰＩ（Application Program Interface）が定義されている。よって、ユーザがこの全体領域をポインティングデバイスで選択した場合、操作入力受付部４６がＡＰＩを介して全体領域の選択を検知し、全体領域を表示データとして共有することができる。ユーザにとっては直感的な切替えが可能になるという効果がある。なお、ＯＳによっては領域をオブジェクト（処理対象）と称し、位置や属性値、操作対象となっているか否か等を管理している。
【０１６０】
全体領域の選択を受け付けた場合（Ｓ９０５１のＹｅｓ）、表示データ取得部４５１はディスプレイ２１６に表示されているデスクトップ画面の全体を表示データとして取得して終了する（Ｓ９０５２）。
【０１６１】
全体領域の選択を受け付けない場合（Ｓ９０５１のＮｏ）、表示データ取得部４５１はアクティブな領域があるか否かを判定する（Ｓ９０５３）。この判定には、例えばＯＳの機能を利用する。例えばWindows（登録商標）APIを利用した場合、アクティブな領域のハンドルを取得し、ハンドルの値がNULLでなければ、アクティブな領域があると判定する。なお、アクティブな領域とは、ユーザによる入力や操作対象となっている領域をいい、Windows（登録商標）やMac OS等ではアクティブウィンドウと呼ばれる。
【０１６２】
ユーザａａがアクティブな領域を閉じるなどして、アクティブな領域がなかった場合（Ｓ９０５３のＮｏ）、処理はステップＳ９０５２に進みデスクトップ画面の全体を表示データとして取得する。
【０１６３】
アクティブな領域があった場合（Ｓ９０５３のＹｅｓ）、表示データ取得部４５１は、表示制御部がディスプレイ２１６に表示させている表示データのうち、アクティブになっている領域の表示データを取得する（Ｓ９０５４）。この領域は、ステップＳ９０５３で取得したアクティブな領域のハンドルにより指定されているので、表示データ取得部４５１は、取得すべき領域の表示データを参照することができる。
【０１６４】
次に、表示データ取得部４５１は、取得した領域の幅又は高さが閾値より小さいか否かを判定する（Ｓ９０５５）。幅の閾値を例えば128ピクセル、高さの閾値を36ピクセルとする。この判定は、あまりに小さい領域の表示データは意味のある内容を有さないためと、後述するように解像度変換による拡大処理の処理負荷が増大してしまうためである。また、解像度の変換により拡大しても拡大率が大きすぎるため、ユーザｄｂが判別できない可能性が高い。拡大する領域のサイズの下限を決めておくことにより、伝送端末１０ａａが表示データをレンダリングする際のＣＰＵの負荷を低減できる。
【０１６５】
領域の幅又は高さいずれかが閾値より小さい場合（Ｓ９０５５のＹｅｓ）、表示データ取得部４５１は現在の表示データの領域が閾値の幅×高さ(例えば128x36ピクセル)になるまで黒ピクセルを付加して終了する（Ｓ９０５６）。なお、黒ピクセルは以下のように配置する。まず、閾値の幅×高さの領域を用意し、この領域の左上コーナの位置が現在の表示データの左上コーナの位置と一致するように、現在の表示データを配置する。閾値の幅×高さの領域のうち、現在の表示データが配置されないピクセルを黒ピクセルとすればよい。なお、現在の表示データは、他の３個所（左下、右上、右下）のいずれかに配置してもよいし、幅または高さの中心位置に配置してもよい。また、付加するピクセルは黒ピクセルに限るものではなく、他の色にしても構わない。
【０１６６】
図２４に戻り、解像度取得部４４が、ディスプレイ２１６の解像度情報を取得する（ステップＳ９０６）。そして、解像度変換部４５３が、解像度管理ＤＢ４００１に記憶されている伝送端末１０のディスプレイ１２０の解像度情報が表す解像度と、ステップＳ９０６で取得された外部入力装置４０のディスプレイ２１６の解像度情報が表す解像度とに基づいて、伝送端末１０に送信する表示データの解像度を変換する（ステップＳ９０７）。
【０１６７】
ステップＳ９０７において解像度変換部４５３が行う「解像度の変換」処理の詳細について、図２６を参照しながら説明する。
【０１６８】
まず、領域サイズ変更部４５４はステップＳ９０５において全体領域が選択されたのかアクティブな領域が選択されたのかを判定する（Ｓ９０７０）。アクティブな領域が選択された場合には（Ｓ９０７０のＮｏ）、処理はステップＳ９０７６に進む。
【０１６９】
全体領域が選択された場合（Ｓ９０７０のＹｅｓ）、解像度変換部４５３は以下のようにして表示データの解像度を変更する。まず、説明および記述の便宜上、ステップＳ９０６で取得された外部入力装置４０のディスプレイ２１６の解像度情報のうち、縦方向（高さ（Ｈ）方向）の解像度を「Ｈ４０」とし、横方向（幅（Ｗ）方向）の解像度を「Ｗ４０」とする。同様に、解像度管理ＤＢ４００１に記憶されている伝送端末１０のディスプレイ１２０の解像度情報のうち、縦方向の解像度を「Ｈ１０」とし、横方向の解像度を「Ｗ１０」とする。解像度変換部４５３は、これらの解像度Ｈ４０、Ｗ４０、Ｈ１０およびＷ１０に基づいて、以下に説明するように表示データの縦方向の解像度を「Ｈ'」に、表示データの横方向の解像度を「Ｗ'」に変換する。
【０１７０】
図２６を参照すると、まず、解像度変換部４５３は、Ｈ４０≦Ｈ１０、かつＷ４０≦Ｗ１０であるか否かを判定する（ステップＳ９０７１）。Ｈ４０≦Ｈ１０、かつＷ４０≦Ｗ１０であると判定された場合（ステップＳ９０７１でＹＥＳの場合）には、解像度変換部４５３は、表示データの縦方向の解像度Ｈ'および横方向の解像度Ｗ'を、それぞれＨ'＝Ｈ４０、Ｗ'＝Ｗ４０とし、解像度を変換しない（ステップＳ９０７２）。
【０１７１】
一方、Ｈ４０≦Ｈ１０、かつＷ４０≦Ｗ１０でないと判定された場合（ステップＳ９０７１でＮＯの場合）には、解像度変換部４５３は、（Ｗ４０＞Ｗ１０、かつＨ４０≦Ｈ１０）または（Ｗ４０＞Ｗ１０、かつＨ４０＞Ｈ１０、かつＨ１０≧Ｗ１０）であるか否かを判定する（ステップＳ９０７３）。
【０１７２】
（Ｗ４０＞Ｗ１０、かつＨ４０≦Ｈ１０）または（Ｗ４０＞Ｗ１０、かつＨ４０＞Ｈ１０、かつＨ１０≧Ｗ１０）であると判定された場合（ステップＳ９０７３でＹＥＳの場合）には、解像度変換部４５３は、表示データの横方向の解像度Ｗ'および縦方向の解像度Ｈ'を、それぞれＷ'＝Ｗ１０、Ｈ'＝Ｈ４０＊Ｗ１０／Ｗ４０と変換する（ステップＳ９０７４）。ここで、Ｗ１０／Ｗ４０は、幅（Ｗ）方向の圧縮率を表している。
【０１７３】
一方、（Ｗ４０＞Ｗ１０、かつＨ４０≦Ｈ１０）または（Ｗ４０＞Ｗ１０、かつＨ４０＞Ｈ１０、かつＨ１０≧Ｗ１０）でないと判定された場合（ステップＳ９０７３でＮＯの場合）には、解像度変換部４５３は、表示データの横方向の解像度Ｗ'および縦方向の解像度Ｈ'を、それぞれＷ'＝Ｗ４０＊Ｈ１０／Ｈ４０、Ｈ'＝Ｈ１０と変換する。（ステップＳ９０７５）。ここで、Ｈ１０／Ｈ４０は、高さ（Ｈ）方向の圧縮率を表している。
【０１７４】
なお、ステップＳ９０７３において（Ｗ４０＞Ｗ１０、かつＨ４０＞Ｈ１０、かつＨ１０≧Ｗ１０）でないと判定される場合とは、例えば、外部入力装置４０のディスプレイ２１６の縦方向の解像度が、伝送端末１０のディスプレイ１２０の縦方向の解像度よりも高く、かつ、外部入力装置４０のディスプレイ２１６の横方向の解像度が、伝送端末１０のディスプレイ１２０の横方向の解像度以下である場合（Ｈ４０＞Ｈ１０、かつＷ４０≦Ｗ１０）である。あるいは、外部入力装置４０のディスプレイ２１６の横方向の解像度および縦方向の解像度が、それぞれ伝送端末１０のディスプレイ１２０の横方向の解像度および縦方向の解像度よりも高く、かつ、伝送端末１０のディスプレイ１２０の縦方向の解像度が横方向の解像度よりも低い場合（Ｗ４０＞Ｗ１０、かつＨ４０＞Ｈ１０、かつＨ１０＜Ｗ１０）である。
【０１７５】
すなわち、ステップＳ９０７では、伝送端末１０のディスプレイ１２０の縦方向の解像度より外部入力装置４０のディスプレイ２１６の縦方向の解像度が低い場合には、解像度変換部４５３は表示データの縦方向の解像度を伝送端末１０のディスプレイ１２０の縦方向の解像度に変換する（Ｈ'＝Ｈ１０）。そして、解像度変換部４５３は表示データの横方向の解像度を伝送端末１０のディスプレイ１２０の解像度の縦横比と同じ縦横比となるように変換する（Ｗ'＝Ｗ４０＊Ｈ１０／Ｈ４０）。
【０１７６】
また、伝送端末１０のディスプレイ１２０の横方向の解像度が外部入力装置４０のディスプレイ２１６の横方向の解像度より低い場合には、解像度変換部４５３は表示データの横方向の解像度を伝送端末１０のディスプレイ１２０の横方向の解像度に変換する（Ｗ'＝Ｗ１０）。そして、解像度変換部４５３は表示データの縦方向の解像度を伝送端末１０のディスプレイ１２０と解像度の縦横比が同じ縦横比となるように変換する（Ｈ'＝Ｈ４０＊Ｗ１０／Ｗ４０）。
【０１７７】
ついで、領域サイズ変更部４５４は表示データがすでに１６：９のアスペクト比になっているか否かを判定する（Ｓ９０７６）。
【０１７８】
表示データが１６：９のアスペクト比の場合（Ｓ９０７６のＹｅｓ）、領域サイズ変更部４５４は何もしない。
【０１７９】
表示データが１６：９のアスペクト比でない場合（Ｓ９０７６のＮｏ）、領域サイズ変更部４５４は表示データが１６：９のアスペクト比になるように上下又は左右に余白を付ける（Ｓ９０７７）。
・ｙ＞ｘの場合
横サイズｘ´を以下のように設定する
ｘ´＝（１６／９）ｙ
したがって、追加する余白分は（ｘ´−ｘ）である。例えば左右に（ｘ´−ｘ）の半分ずつ余白を付ける。
・ｙ≦ｘの場合
縦サイズｙ´を以下のように設定する
ｙ´＝（９／１６）ｘ
したがって、追加する余白分は（ｙ´−ｙ）である。例えば上下に（ｙ´−ｙ）の半分ずつ余白を付ける。
【０１８０】
なお、余白は例えば黒色一色の矩形領域であるが、白色や青色などでもよい。また、矩形領域の全体が一様な濃度でなくてもよく、グラデーションがかかっていたり、模様が描かれていてもよい。
【０１８１】
図２４に戻って、解像度変換部４５３によって表示データの解像度が変換されると、表示データ送信部４５２が、変換された表示データを伝送端末１０に送信する（ステップＳ９０８）。
【０１８２】
伝送端末１０の外部情報送受信部１８が外部入力装置４０から送信された表示データを受信すると（ステップＳ９０８）、画像表示制御部１４ｂが受信された表示データをレンダリングし、ディスプレイ１２０に表示させる（ステップＳ９０９）。そして、表示画像取得部１４ｃが、ステップＳ９０９で画像表示制御部１４ｂによってディスプレイ１２０に表示されている画像を表すデータを取得する（ステップＳ９１０）。そして、送受信部１１が表示画像取得部１４ｃによって取得されたデータを中継装置３０に送信する（ステップＳ９１１）。
【０１８３】
また、操作入力受付部１２が解像度情報を受け付けると、解像度変更部２１ｄは、伝送端末１０のディスプレイ１２０の解像度を変更する（ステップＳ９１２）。この「解像度の変更」は、後述する図２７の処理フローにおけるステップＳ１０５、Ｓ１０９、Ｓ１１７、Ｓ１２２の「解像度の変更」処理によって行われる。
【０１８４】
解像度が変更されると、解像度取得部２１ａがその変更後の解像度を表す解像度情報を取得し（ステップＳ９０２）、外部情報送受信部１８が、その解像度情報を外部入力装置４０に送信する（ステップＳ９０３）。これ以降は、上記のステップＳ９０４以降で行った処理と同様であるので、その説明を省略する。
【０１８５】
次に、伝送端末１０が行う解像度制御（解像度の変更を含む）の処理について、図２７に例示するフローチャートを参照しながら説明する。
【０１８６】
図２７において、伝送端末１０の電源ＯＮにより処理を開始すると、解像度取得部２１ａ（図４）は、ディスプレイ１２０にアクセスして表示可能な解像度を取得する（ステップＳ１０１）。
【０１８７】
次いで、解像度判定部２１ｂは、表示可能な解像度に、伝送端末１０と中継装置３０との間の画像データの通信に用いる基準アスペクト比（例えば、１６：９、解像度は１２８０×７２０）以外の解像度を含んでいるか否かを判定する（ステップＳ１０２）。このような判定を行うのは、可能であれば、基準アスペクト比以外の解像度を選択し、補助情報の表示のためのセグメント領域を付加したいためである。図２８（ａ）はその場合の画面の一例を示したもので、画面の下端にセグメント領域ＳＲが追加され、このセグメント領域ＳＲに補助情報ＡＸ（エラーメッセージと操作ボタン）が表示された状態を示している。一方、図２８（ｂ）に示される例では、セグメント領域は付加されず、画面の下端部に補助情報ＡＸが挿入される形で表示された状態を示している。
【０１８８】
基準アスペクト比以外の解像度を含んでいる場合（ステップＳ１０２のＹＥＳ）、解像度選択部２１ｃは、基準アスペクト比以外の解像度の中から所定の基準で解像度を選択する（ステップＳ１０３）。所定の基準としては、最も解像度が高いもの（幅×高さが最大値をもつもの）を優先して選択したり、特定のアスペクト比（例えば、８：５）の解像度を優先して選択したり、補助情報の文字サイズや文字数等に適した解像度を選択したり、ユーザに優先すべき解像度を定義させたり（例えば、ＷＸＧＡ（１２８０×８００）やＸＧＡ（１０２４×７６８））等の種々の基準を用いることができる。
【０１８９】
次に、画像表示制御部１４ｂの一機能である画像加工部（図示せず）は、基準アスペクト比で内部的に生成される画像データを、選択された解像度に伸縮するとともに、セグメント領域を追加する（ステップＳ１０４）。この画像加工部は、具体的には次のような処理を行う。まず、変換前の画像を変換後の幅に一致するように対称に伸縮する。変換前と変換後の幅が同じである場合、伸縮は行われない（拡大率または縮小率が１倍）。次に、伸縮後の画像の高さを調べ、変換後の高さになるように伸縮後の画像にセグメント領域を追加する。図２８（ａ）に示した例では、画面の下端にセグメント領域ＳＲが追加されている。なお、セグメント領域を追加する位置は下端に限られたものではなく、上端に追加してもよいし、半分の高さをもつセグメント領域を画面の上下端に追加してもよい。
【０１９０】
次に、解像度変更部２１ｄは、選択された解像度になるようにディスプレイ１２０の解像度を変更する（ステップＳ１０５）。この処理により、ディスプレイ１２０は変更後の解像度で表示される。
【０１９１】
次に、画像表示制御部１４ｂの一機能であるフラグ設定部（図示せず）は、フラグ"overlap"を"false"（偽）に設定する（ステップＳ１０６）。このフラグは、画像表示制御部１４ｂがエラーなどを検知して、現在表示されている画像データとは別の補助情報の表示制御を行うときに参照される。"overlap"の値は、補助情報を画像データに重なるように表示させるときは（図２８（ｂ）の場合）"true"となり、重ねないように制御するときは（図２８（ａ）の場合）"false"の値をもつ。
【０１９２】
一方、基準アスペクト比以外の解像度を含んでいない場合（ステップＳ１０２のＮＯ）、解像度選択部２１ｃは、基準アスペクト比の中から所定の基準で解像度を選択する（ステップＳ１０７）。所定の基準は、ステップＳ１０３で説明したものと同様である。
【０１９３】
次に、画像表示制御部１４ｂの一機能である画像加工部（図示せず）は、基準アスペクト比で内部的に生成される画像データを、選択された解像度に伸縮する（ステップＳ１０８）。この場合、同じアスペクト比の伸縮であるため、画像データの幅および高さのいずれの方向にもブランク領域は発生せず、セグメント領域は追加しない（図２８（ｂ）の画面表示例、参照）。
【０１９４】
次に、解像度変更部２１ｄは、選択された解像度になるようにディスプレイ１２０の解像度を変更する（ステップＳ１０９）。この処理により、ディスプレイ１２０は変更後の解像度で表示される。次に、画像表示制御部１４ｂの一機能であるフラグ設定部（図示せず）は、フラグ"overlap"を"true"（真）に設定する（ステップＳ１１０）。
【０１９５】
ここまでは、伝送端末１０の電源ＯＮ時における初期処理である。これ以降は、電源ＯＮの後にディスプレイ１２０が交換された場合に対応するためのループ処理となる。
【０１９６】
解像度取得部２１ａは、ディスプレイ１２０にアクセスして現在表示している解像度を取得する（ステップＳ１１１）。次いで、解像度取得部２１ａは、ディスプレイ１２０にアクセスして表示可能な解像度を取得する（ステップＳ１１２）。
【０１９７】
次いで、解像度判定部２１ｂは、表示可能な解像度に、伝送端末１０と中継装置３０との間の画像データの通信に用いる基準アスペクト比（例えば、１６：９）以外の解像度を含んでいるか否かを判定する（ステップＳ１１３）。基準アスペクト比以外の解像度を含んでいる場合（ステップＳ１１３のＹＥＳ）、解像度選択部２１ｃは、基準アスペクト比以外の解像度の中から所定の基準で解像度を選択する（ステップＳ１１４）。所定の基準は、ステップＳ１０３で説明したものと同様である。
【０１９８】
次に、解像度判定部２１ｂは、現在表示している解像度と選択した解像度は異なるか否かを判定する（ステップＳ１１５）。現在表示している解像度と選択した解像度が異なる場合（ステップＳ１１５のＹＥＳ）、画像表示制御部１４ｂの一機能である画像加工部（図示せず）は、基準アスペクト比で内部的に生成される画像データを、選択された解像度に伸縮するとともに、セグメント領域を追加する（ステップＳ１１６）。
【０１９９】
次に、解像度変更部２１ｄは、選択された解像度になるようにディスプレイ１２０の解像度を変更する（ステップＳ１１７）。この処理により、ディスプレイ１２０は変更後の解像度で表示される。次に、画像表示制御部１４ｂの一機能であるフラグ設定部（図示せず）は、フラグ"overlap"を"false"（偽）に設定する（ステップＳ１１８）。一方、現在表示している解像度と選択した解像度が同じ場合（ステップＳ１１５のＮＯ）、ステップＳ１１６〜Ｓ１１８の処理は行わない。解像度の変更を要しないからである。
【０２００】
一方、基準アスペクト比以外の解像度を含んでいない場合（ステップＳ１１３のＮＯ）、解像度選択部２１ｃは、基準アスペクト比の中から所定の基準で解像度を選択する（ステップＳ１１９）。所定の基準は、ステップＳ１０３で説明したものと同様である。
【０２０１】
次に、解像度判定部２１ｂは、現在表示している解像度と選択した解像度は異なるか否かを判定する（ステップＳ１２０）。現在表示している解像度と選択した解像度が異なる場合（ステップＳ１２０のＹＥＳ）、画像表示制御部１４ｂの一機能である画像加工部（図示せず）は、基準アスペクト比で内部的に生成される画像データを、選択された解像度に伸縮する（ステップＳ１２１）。
【０２０２】
次に、解像度変更部２１ｄは、選択された解像度になるようにディスプレイ１２０の解像度を変更する（ステップＳ１２２）。この処理により、ディスプレイ１２０は変更後の解像度で表示される。次に、画像表示制御部１４ｂの一機能であるフラグ設定部（図示せず）は、フラグ"overlap"を"true"（真）に設定する（ステップＳ１２３）。一方、現在表示している解像度と選択した解像度が同じ場合（ステップＳ１２０のＮＯ）、ステップＳ１２１〜Ｓ１２３の処理は行わない。解像度の変更を要しないからである。
【０２０３】
以上の処理は、プログラムが起動している間、繰り返される。そのため、異なる解像度をもつ別のディスプレイ１２０につなぎなおされた場合であっても、図２７の処理が継続していることになる。この繰り返し処理は、定期的にディスプレイ１２０の解像度の変化を監視する処理に相当するが、Ｗｉｎｄｏｗｓ（登録商標）のプログラムでよく知られたイベント機構を導入して処理を実行することも可能である。この場合、別のディスプレイ１２０に接続されることにより解像度の変更があったときは、イベント通知が行われるようにプログラムの起動時に登録しておく。その後、このイベントが発生するたびに画像表示制御部１４ｂにおいて、図２７のステップＳ１１１からの処理を実行すればよい。
【０２０４】
＜ディスプレイ１２０の表示例＞
図４０は伝送端末１０ａａに接続されたディスプレイ１２０に表示される表示データの表示例を示す図である。図４０（ａ）、図４０（ｂ）はアクティブな領域のアスペクト比が１６：９に自動的に又はユーザにより調整されなかった場合の表示データの表示例である。アクティブな領域のアスペクト比が１６：９でなかったため、図４０（ａ）では左右に余白が追加され、図４０（ｂ）では上下に余白が追加されている。図４０（ａ）（ｂ）では余白（黒枠）にスペースを消費されるため、表示データの表示領域が狭くなってしまっている。
【０２０５】
図４０（ｃ）はアクティブな領域のアスペクト比が１６：９に自動的に調整された場合の表示データの表示例である。領域のアスペクト比が１６：９に調整されていたので余白が付与されておらず、伝送端末１０が共有する情報量を増大させることができる。
【０２０６】
＜実施例の変形＞
図２４に示した実施形態では、外部入力装置４０から伝送端末１０に、さらに伝送端末１０から中継装置３０に送信される表示データをＢｉｔｍａｐ形式（非圧縮形式）で伝送する場合を例にとって説明したが、本発明はかかる伝送形式に限定されないことはもちろんである。例えば、ＪＰＥＧ、ＧＩＦ等の圧縮形式を用いて表示データを伝送するようにしてもよい。
【０２０７】
以下、図２９を参照して圧縮形式を用いる場合の処理例について説明する。図２９に示す処理フローは、図２４に示した処理フローと比較して、表示データの圧縮およびその解凍に関連する処理（ステップＳ９０７−Ａ、Ｓ９０８−Ａ、Ｓ９１０−Ａ）が追加されている点で異なる。これら追加されたステップ以外の他のステップで行う処理については、図２４の場合と同じであるので、その説明は省略する。
【０２０８】
図２９において、外部入力装置４０の解像度変換部４５３が表示データの解像度変換を行った後（ステップＳ９０７）、その解像度変換後の表示データに対して所定の圧縮（符号化）処理を行う（ステップＳ９０７−Ａ）。本実施形態では、この圧縮処理を表示データ取得部４５１が行うようになっている。
【０２０９】
一方、伝送端末１０では、外部入力装置４０から送信された解像度変換後の圧縮表示データを外部情報送受信部１８が受信した後（ステップＳ９０８）、その受信した圧縮表示データの解凍（復号化）を行う（ステップＳ９０８−Ａ）。本実施形態では、この解凍処理を表示画像取得部１４ｃが行うようになっている。
【０２１０】
次いで、画像表示制御部１４ｂが、その解凍（復号化）された表示データをレンダリングし、ディスプレイ１２０に表示させた後（ステップＳ９０９）、表示画像取得部１４ｃが、ディスプレイ１２０に表示されている表示データを取得する（ステップＳ９１０）。ここで取得された表示データ（非圧縮データ）は、２系統に分割される。表示画像取得部１４ｃは、その一方の表示データに対し所定の圧縮（符号化）を行う（ステップＳ９１０−Ａ）。そして、送受信部１１が、表示画像取得部１４ｃによって取得された圧縮表示データを通信ネットワーク２を介して中継装置３０に送信する（ステップＳ９１１）。
【０２１１】
圧縮表示データは、さらに中継装置３０を経由して他の伝送端末１０（図１）で受信される。その圧縮表示データを受信した伝送端末１０は、上記のように画像表示制御部１４ｂが所定の解凍（復号化）処理を行った後、その表示データをレンダリングし、ディスプレイ１２０に表示させることで、送信元の伝送端末１０との間で画面表示データを共有することができる。つまり、外部入力装置４０の表示データを自端末（伝送端末１０）および他の伝送端末１０に送信することで、各拠点の伝送端末１０間で表示データを共有することができる。
【０２１２】
一方、ステップＳ９１０で表示画像取得部１４ｃによって取得され、２系統に分割された表示データ（非圧縮データ）のうち他方の表示データは、ステップＳ９１２において解像度の変更処理がなされる。これ以降は、上記の図２７に関連して説明した処理と同じであるので、その説明は省略する。
【０２１３】
上述したように、外部入力装置４０で解像度変換された表示データを圧縮形式に変換して伝送（伝送端末１０→中継装置３０→他の伝送端末１０）を行うと、Ｂｉｔｍａｐ形式のような非圧縮形式を用いた場合（図２４）と比べて、伝送容量を小さくすることができるので、通信負荷を減らすことができる。
【０２１４】
以上説明したように、本実施例の伝送システムは、マウスで全体領域を選択すれば画面全体を、選択しなければアクティブな領域を、テレビ会議の相手が利用している伝送端末と共有できる。したがって、画面全体と一部の領域を任意に選択して共有することができる。
【０２１５】
なお、本実施例の形態は本発明の範囲を限定するものではなく、用途や目的に応じて様々なシステム構成例があることは言うまでもない。例えば、伝送端末１０と外部入力装置４０の機能は１つの情報処理装置が有していてもよい。この場合、ディスプレイ１２０と２１６は１つのディスプレイに集約され、このディスプレイは１つの情報処理装置と一体でもよいし、接続されていてもよい。
【０２１６】
また、外部入力装置４０が有する機能を別の情報処理装置が有し、外部入力装置４０が呼び出して利用してもよい。伝送端末１０が有する機能を別の情報処理装置が有し、伝送端末１０が呼び出して利用してもよい。また、伝送管理システム５０が有する機能を、複数の情報処理装置が分散して有していてもよい。
【０２１７】
また、伝送管理システム５０が有する記憶部５０００は伝送管理システム５０がアクセス可能な通信ネットワーク上にあればよく、伝送端末１０が有する記憶部１０００は伝送端末１０がアクセス可能な通信ネットワーク上にあればよい。外部入力装置４０が有する記憶部４０００は外部入力装置４０がアクセス可能な通信ネットワーク上にあればよい。
【実施例２】
【０２１８】
本実施例では、ユーザが外部入力装置４０のディスプレイ２１６に表示される表示領域選択メニューを操作することで、伝送端末画面において、ユーザが全体領域又は任意の領域を選択して表示することが可能な伝送システム１について説明する。
【０２１９】
図４１は実施例１の図２１と同様に、外部入力装置用プログラム１４５１のユーザインタフェースの一例を示す図である。図４１（ａ）では「共有の開始」という文字が表示された共有設定受付ボタン３０１が、図４１（ｂ）では「共有の停止」という文字が表示された共有設定受付ボタン３０１が示されている。共有設定受付ボタン３０１の機能は、実施例１と同様である。
【０２２０】
また、図４１（ａ）（ｂ）では、共有設定受付ボタン３０１に加え、２つのラジオボタン３０２，３０３が表示されている。一方のラジオボタン３０２は「全体領域（フルスクリーン）」であり、他方のラジオボタン３０３は「アクティブな領域」である。すなわち、ラジオボタン３０２，３０３は、ユーザが全体領域かアクティブな領域のどちらを表示データとするかを排他的に選択するためのものである。ユーザが２つのラジオボタン３０２，３０３のどちらかを選択すると、操作入力受付部４６がこの選択を受け付ける。
【０２２１】
共有設定受付ボタン３０１により「共有の開始」が選択されている場合（表示データの共有中の場合）は、ユーザが選択するラジオボタン３０２，３０３を切り替えるたびに、伝送端末１０ａａのディスプレイ１２０に表示される表示データが、全体領域とアクティブな領域に交互に切り替わる。
【０２２２】
共有設定受付ボタン３０１により「共有の開始」が選択されていない場合（表示データの共有中でない場合）は、ユーザが「共有の開始」をクリックすると、選択されているラジオボタン３０２，３０３の表示データの共有が開始される。
【０２２３】
動作手順を説明するためのフローチャート図については実施例１の図２４〜３９と同様であるが、図２５の処理の一部が異なっている。図４２は、表示データ取得部４５１が表示データを取得する処理の詳細について説明するフローチャート図の一例である。
【０２２４】
操作入力受付部４６は、ユーザがラジオボタン３０２で全体領域を選択したか否かを判定する（Ｓ９０５１−２）。
【０２２５】
ユーザがラジオボタン３０２で全体領域を選択した場合（Ｓ９０５１−２のＹｅｓ）、表示データ取得部４５１はディスプレイ２１６に表示されているデスクトップ画面の全体を表示データとして取得して終了する（Ｓ９０５２）。
【０２２６】
ユーザがラジオボタン３０２で全体領域を選択しない場合（Ｓ９０５１−２のＮｏ）、すなわち、ユーザがラジオボタン３０３でアクティブな領域を選択した場合（Ｓ９０５１のＮｏ）、表示データ取得部４５１はアクティブな領域があるか否かを判定する（Ｓ９０５３）。判定方法は実施例１と同様でよい。
【０２２７】
ユーザａａがアクティブな領域を閉じるなどして、アクティブな領域がなかった場合（Ｓ９０５３のＮｏ）、処理はステップＳ９０５２に進み、表示データ取得部４５１はデスクトップ画面の全体を表示データとして取得する。
【０２２８】
アクティブな領域があった場合（Ｓ９０５３のＹｅｓ）、表示データ取得部４５１は、表示制御部がディスプレイ２１６に表示させている表示データのうち、アクティブになっている領域の表示データを取得する（Ｓ９０５４）。以降の処理は実施例１と同様となる。
【０２２９】
本実施例によれば、ＯＳがデスクトップ画面の全体を１つの領域として扱うことをサポートしてない場合でも、表示領域選択メニュー３１０によりユーザが全体領域を選択することを可能にできる。
【０２３０】
（実施の形態の補足）
また、伝送システム１は、移動体に搭載されたカーナビゲーション装置を含むシステムであってもよい。図４３は、伝送端末１０をカーナビゲーション装置２００に適用した場合のシステム構成の一例を示す図である。以下、カーナビゲーション装置２００を区別する場合、カーナビゲーション装置２００の符号を２００−ｉ（ｉは自然数）で表す。
【０２３１】
この場合、一方の伝送端末１０は、自動車６０１に搭載されたカーナビゲーション装置２００−２に相当する。他方の伝送端末１０は、管理センター６０４のコミュニケータが使用する管理端末２００−１、又は、他の自動車６０２に搭載されているカーナビゲーション装置２００−３に相当する。管理端末２００−１、カーナビゲーション装置２００−２、及び、カーナビゲーション装置２００−３は、通信ネットワーク２を介して互いに接続されている。また、管理端末２００−１、カーナビゲーション装置２００−２、及び、カーナビゲーション装置２００−３は、伝送管理システム５０によりセッションを確立させる。
【０２３２】
図４４は、カーナビゲーション装置の構成の一例を示す図である。カーナビゲーション装置２００は、これまで説明した伝送端末１０に、ＧＰＳ受信機６１２、車速センサ６１３、ジャイロセンサ６１４、道路地図データ６１５が接続された態様を有している。また、伝送端末１０は一体にディスプレイ１２０を有している。なお、ディスプレイ１２０は有線又は無線で伝送端末１０と接続されていてもよいし、伝送端末１０に対し着脱可能であってもよい。
【０２３３】
伝送端末１０は、プログラムを実行してカーナビゲーション装置２００としての機能を提供する。ＧＰＳ受信機６１２はＧＰＳ衛星を捕捉して現在位置の座標を出力する。車速センサ６１３は自動車６０１，６０２の速度（車輪の回転速度）を検出するセンサである。ジャイロセンサ６１４は角速度を検出するセンサであり、角速度を積分することで車両の走行方向が検出可能となる。
【０２３４】
道路地図データ６１５は、道路をノードとリンクの組み合わせで表したデータであり、外部からダウンロードされても、予め車両が保持していてもよい。道路地図データはディスプレイ１２０に表示される。
【０２３５】
なお、伝送端末１０に画面共有用のＰＣが接続されてもよい。また、カーナビゲーション装置２００は、図４４で図示されている構成の他に、ラジオやＴＶ放送を受信するチューナー機能、音楽を再生するオーディオ機能、リアビューカメラ等の車載カメラとの連動機能、Ｗｅｂサイトを表示するブラウザ機能等を有していてもよい。
【０２３６】
伝送端末１０は、ＧＰＳ受信機６１２が検出する位置情報を起点にして、ジャイロセンサ６１４が検出する走行方向に車速センサ６１３が検出する走行距離を累積する自律航法により自車位置を推定する。自車位置は自車マークなどにより道路地図上に表示される。また、目的地までの経路を探索し運転者に案内する。このようにして、伝送端末１０はカーナビゲーションとしての機能を実現する。
【０２３７】
カーナビゲーション装置２００は、伝送端末１０により通信ネットワーク２に接続される。例えば、携帯電話機を用いて携帯電話回線（基地局からの空中線電力により、主に屋外などの比較的広い範囲をカバーする無線通信を含む）などを介して通信ネットワーク２に接続される。
【０２３８】
伝送端末１０（カーナビゲーション装置）は、通信ネットワーク２に接続された他の伝送端末１０を含む宛先端末のリストをディスプレイ１２０に表示する。ディスプレイ１２０に表示された宛先端末のリストから宛先端末が選択され、宛先端末とのセッションが確立すると、伝送端末１０（カーナビゲーション装置）は画像データや音声データ等を、選択された宛先端末に送信、又は選択された宛先端末から受信できる。また、伝送端末１０（カーナビゲーション装置）の操作により情報処理装置（制御部６１１）は道路地図やＴＶ映像などの表示データを取り込むことができる。伝送端末１０（カーナビゲーション装置）は表示データを、通信ネットワーク２に接続された他の伝送端末１０（カーナビゲーション装置）に送信できる。
【０２３９】
以上説明したように、移動体に搭載された伝送端末１０（カーナビゲーション装置）は、テレビ会議システムの伝送端末１０と同様に、画像データ、音声データ及び表示データ等を送受信する。したがって、伝送システム１は、移動体に搭載された伝送端末１０（カーナビゲーション装置）を含むシステムであってもよい。
【符号の説明】
【０２４０】
１  伝送システム
２  通信ネットワーク
１０（１０ａａ，…，１０ｄｂ）  伝送端末
３０（３０ａ，…，３０ｄ）  中継装置
４０（４０ａａ，…，４０ｄｂ）  外部入力装置
４１  送受信部
４２  接続検出部
４３４  領域サイズ変更部
５０    伝送管理システム
１２０，２１６ディスプレイ
【先行技術文献】
【特許文献】
【０２４１】
【特許文献１】特開2011-254453号公報
【図１】
2015084511.tif 000003
【図２】
2015084511.tif 000004
【図３】
2015084511.tif 000005
【図４】
2015084511.tif 000006
【図５】
2015084511.tif 000007
【図６】
2015084511.tif 000008
【図７】
2015084511.tif 000009
【図８】
2015084511.tif 000010
【図９】
2015084511.tif 000011
【図１０】
2015084511.tif 000012
【図１１】
2015084511.tif 000013
【図１２】
2015084511.tif 000014
【図１３】
2015084511.tif 000015
【図１４】
2015084511.tif 000016
【図１５】
2015084511.tif 000017
【図１６】
2015084511.tif 000018
【図１７】
2015084511.tif 000019
【図１８】
2015084511.tif 000020
【図１９】
2015084511.tif 000021
【図２０】
2015084511.tif 000022
【図２１】
2015084511.tif 000023
【図２２】
2015084511.tif 000024
【図２３】
2015084511.tif 000025
【図２４】
2015084511.tif 000026
【図２５】
2015084511.tif 000027
【図２６】
2015084511.tif 000028
【図２７】
2015084511.tif 000029
【図２８】
2015084511.tif 000030
【図２９】
2015084511.tif 000031
【図３０】
2015084511.tif 000032
【図３１】
2015084511.tif 000033
【図３２】
2015084511.tif 000034
【図３３】
2015084511.tif 000035
【図３４】
2015084511.tif 000036
【図３５】
2015084511.tif 000037
【図３６】
2015084511.tif 000038
【図３７】
2015084511.tif 000039
【図３８】
2015084511.tif 000040
【図３９】
2015084511.tif 000041
【図４０】
2015084511.tif 000042
【図４１】
2015084511.tif 000043
【図４２】
2015084511.tif 000044
【図４３】
2015084511.tif 000045
【図４４】
2015084511.tif 000046
【図４５】
2015084511.tif 000047